(57)【要約】【課題】  記録媒体の記憶容量の効率的な使用とユーザによる高画質化の要請を満足させることができる情報記録再生装置を提供すること。【解決手段】  情報記録再生装置１００は、放送波によって提供される動画像情報を取得するＴＶ受信部１０１と、提供される動画像情報の特性を示す特性情報を取得する情報抽出部１０７と、取得された特性情報に基づいて動画像情報をデータ格納部１０６に記録する際の単位画像情報当たりの記録すべき情報量を示す記録レートを設定する記録レート決定部１１０と、設定された記録レートに基づいて取得された動画像情報をデータ格納部１０６に記録させるシステム制御部１１５と、を備える構成を有している。【選択図】  図１
2007243232.tif 000002
【特許請求の範囲】
【請求項１】
通信回線または放送波の少なくとも何れか一方により予め定められた時間帯に提供される動画像情報を画像情報記録手段に記録させる動画像情報記録装置であって、
前記通信回線または前記放送波の少なくとも何れか一方によって提供される動画像情報を取得する動画像情報取得手段と、
前記提供される動画像情報の特性を示す特性情報を取得する特性情報取得手段と、
前記取得された特性情報に基づいて前記動画像情報を画像情報記録手段に記録する際の単位画像情報当たりの記録すべき情報量を示す記録レートを設定する設定手段と、
前記設定された記録レートに基づいて前記取得された動画像情報を前記画像情報記録手段に記録させる記録制御手段と、
を備えることを特徴とする動画像情報記録装置。
【請求項２】
請求項１に記載の動画像情報記録装置において、
前記特性情報が、前記コンテンツデータが提供される時間帯を示す時間帯情報である場合に、
前記画像情報記録手段に記録する際に、当該記録すべき前記動画像情報を特定する特定情報を取得する特定情報取得手段を更に備え、
前記特性情報取得手段が、前記取得された特定情報に基づいて前記動画像情報の提供される時間帯を検出することによって前記特性情報である時簡帯情報を取得することを特徴とする動画像情報記録装置。
【請求項３】
請求項２に記載の動画像情報記録装置において、
前記設定手段が、
前記動画像情報を記録する時間帯毎に記録レートが対応付けられた記録レート情報が予め記録されている記録手段と、
前記取得された時間帯情報によって示される時間帯と前記記録手段に記録されている記録レート情報に基づいて前記動画像情報毎に画像情報記録手段に記録する際の記録レートを設定する記録レート設定手段と、
を有することを特徴とする動画像情報記録装置。
【請求項４】
請求項３に記載された動画像情報記録装置において、
前記記録手段には、時刻毎、日毎、曜日毎、月毎または季節毎の少なくとも何れか一の時間帯毎に前記記録レートが設定された記録レート情報が予め記録されていることを特徴とする動画像情報記録装置。
【請求項５】
請求項１に記載の動画像情報記録装置において、
前記特性情報が、前記コンテンツデータのジャンルを示すジャンル情報である場合に
前記特性情報取得手段が、前記動画像情報のジャンル情報である特性情報を取得することを特徴とする動画像情報記録装置。
【請求項６】
請求項５に記載の動画像情報記録装置において、
前記設定手段が、
前記動画像情報を記録するジャンル毎に記録レートが設定された記録レート情報が予め記録されている記録手段と、
前記取得されたジャンル情報によって示されるジャンルと前記記録手段に記録されている記録レート情報に基づいて前記動画像情報毎に画像情報記録手段に記録する際の記録レートを設定する記録レート設定手段と、
を有することを特徴とする動画像情報記録装置。
【請求項７】
請求項１乃至６に記載の動画像情報記録装置において、
前記設定手段が、前記取得された特性情報に基づいて記録レートを設定する際に前記取得された動画像情報を記録させる際の時間進行に伴って切り換える記録レートを予め設定するとともに、
前記記録制御手段が、前記動画像情報の記録中に、前記設定された記録レートを切り換えて前記動画像情報の前記画像情報記録手段における記録制御を行うことを特徴とする動画像情報記録装置。
【請求項８】
請求項７に記載の動画像情報記録装置において、
前記時間進行に伴って切り換わる記録レートが予め設定された記録レート情報が前記特性情報毎に複数記録されるレート情報記録手段と、
動画像情報の記録すべき総記録時間の情報である総記録時間情報を取得する総時間情報取得手段と、
前記画像情報記録手段における前記記録することが可能な記録容量を認識する認識手段と、
を更に備え、
前記設定手段が、前記特性情報取得手段によって取得された特性情報、前記総時間情報取得手段によって取得された総記録時間情報および前記認識手段によって認識された記録容量に基づいて前記レート情報記録手段に記録された複数の記録レート情報から一の記録レート情報を予め設定することを特徴とする動画像情報記録装置。
【請求項９】
請求項７に記載の動画像情報記録装置において、
一定の時間毎に前記時間進行に伴って切り換わる記録レートが予め設定された記録レート情報が複数記録されるレート情報記録手段と、
前記取得された動画像情報の内容的な境界を示す境界情報を取得する境界情報取得手段と、
前記取得された境界情報に基づいて前記各記録レート情報の一定時間毎の区分を示す各記録レート区分を変更する変更手段と、
を更に備え、
前記設定手段が、前記特性情報取得手段によって取得された特性情報、前記記録レート情報における変更された各記録レート区分および当該記録レート区分における記録レートに基づいて、前記取得された動画像情報を記録させる際の各記録レート区分における記録レートを予め設定することを特徴とする動画像情報記録装置。
【請求項１０】
通信回線または放送波の少なくとも何れか一方により予め定められた時間帯に提供される動画像情報を画像情報記録手段に記録させる動画像情報記録方法であって、
前記通信回線または前記放送波の少なくとも何れか一方によって提供される動画像情報を取得する動画像情報取得工程と、
前記提供される動画像情報の特性を示す特性情報を取得する特性情報取得工程と、
前記取得された特性情報に基づいて前記動画像情報を画像情報記録手段に記録する際の単位画像情報当たりの記録すべき情報量を示す記録レートを設定する設定工程と、
前記設定された記録レートに基づいて前記取得された動画像情報を前記画像情報記録手段に記録させる記録制御工程と、
を行うことを特徴とする動画像情報記録方法。
【請求項１１】
コンピュータによって、通信回線または放送波の少なくとも何れか一方により予め定められた時間帯に提供される動画像情報を画像情報記録手段に記録させる動画像情報記録プログラムであって、
前記コンピュータを、
前記通信回線または前記放送波の少なくとも何れか一方によって提供される動画像情報を取得する動画像情報取得手段、
前記提供される動画像情報の特性を示す特性情報を取得する特性情報取得手段、
前記取得された特性情報に基づいて前記動画像情報を画像情報記録手段に記録する際の単位画像情報当たりの記録すべき情報量を示す記録レートを設定する設定手段、
前記設定された記録レートに基づいて前記取得された動画像情報を前記画像情報記録手段に記録させる記録制御手段、
として機能させることを特徴とする動画像情報記録プログラム。
【請求項１２】
請求項１１に記載の動画像情報記録プログラムをコンピュータで読み取り可能に記録した情報記録媒体。
【発明の詳細な説明】
【技術分野】
【０００１】
本発明は、記録容量を考慮しつつ、高い画質の動画像情報を記録する動画像情報記録装置の技術分野に属する。
【背景技術】
【０００２】
近年、テレビジョン放送などの映像コンテンツを記録する記録装置において、ハードディスク（以下、単にＨＤという。）、ＤＶＤ（Digital Versatile Disc）などの記録媒体の普及に伴って、高画質化・大容量化の記録装置が一般化しつつある。
【０００３】
従来、このような映像コンテンツデータ（以下、単に、コンテンツデータという。）である動画像情報を記録する動画像情報記録装置は、動画像情報を記録する前に、例えば、ＭＰＥＧ（Moving Picture Expert Group）２方式を使用して記録する際の圧縮率など、当該動画像情報を記録する際の単位画像あたりの記録すべき平均情報量を示す記録レートをユーザに選択させ、当該設定された平均情報量に基づいてコンテンツデータを記録するようになっている。
【０００４】
例えば、動画像情報記録装置は、記録容量は多く必要とするが高画質にて記録することが可能な平均記録レート（以下、高記録レートという。）、記録容量は多くは必要としないが低画質にて記録することになる平均記録レート（以下、低記録レートという。）、などの複数の平均記録レートを段階的に切り換えて記録するようになっている（例えば、非特許文献１）。
【非特許文献１】パイオニア株式会社製  ＤＶＤレコーダ（ＤＶＲ−９９Ｈ）のカタログ［online］、［平成１６年３月３１日検索］、インターネット＜http://www.pioneer.co.jp/catalog/dvdr/dvr-99h.php＞
【発明の開示】
【発明が解決しようとする課題】
【０００５】
しかしながら、従来の動画像記録装置にあっては、コンテンツデータの記録レートを設定する毎に、ＨＤなどの記録媒体における未記録容量を確認しつつ、コンテンツデータを記録する前にユーザが予め平均記録レートを設定しなければならないので、ユーザの操作が煩わしくなっている。
【０００６】
そこで、本発明は、上記の各問題点に鑑みて為されたもので、その課題の一例としては、コンテンツデータが提供される時間帯またはそのジャンルなどの当該コンテンツデータの特性に基づいて当該コンテンツデータを記録する際の記録レートを決定することによって、ユーザの操作性を向上することができるとともに、記録媒体の記憶容量の効率的な使用を実現することができる動画像情報記録装置を提供することにある。
【課題を解決するための手段】
【０００７】
上記の課題を解決するために、請求項１に記載の発明は、通信回線または放送波の少なくとも何れか一方により予め定められた時間帯に提供される動画像情報を画像情報記録手段に記録させる動画像情報記録装置であって、前記通信回線または前記放送波の少なくとも何れか一方によって提供される動画像情報を取得する動画像情報取得手段と、前記提供される動画像情報の特性を示す特性情報を取得する特性情報取得手段と、前記取得された特性情報に基づいて前記動画像情報を画像情報記録手段に記録する際の単位画像情報当たりの記録すべき情報量を示す記録レートを設定する設定手段と、前記設定された記録レートに基づいて前記取得された動画像情報を前記画像情報記録手段に記録させる記録制御手段と、を備える構成を有している。
【０００８】
また、請求項９に記載の発明は、通信回線または放送波の少なくとも何れか一方により予め定められた時間帯に提供される動画像情報を画像情報記録手段に記録させる動画像情報記録方法であって、前記通信回線または前記放送波の少なくとも何れか一方によって提供される動画像情報を取得する動画像情報取得工程と、前記提供される動画像情報の特性を示す特性情報を取得する特性情報取得工程と、前記取得された特性情報に基づいて前記動画像情報を画像情報記録手段に記録する際の単位画像情報当たりの記録すべき情報量を示す記録レートを設定する設定工程と、前記設定された記録レートに基づいて前記取得された動画像情報を前記画像情報記録手段に記録させる記録制御工程と、を備える構成を有している。
【０００９】
また、請求項１０および請求項１１に記載の発明は、コンピュータによって、通信回線または放送波の少なくとも何れか一方により予め定められた時間帯に提供される動画像情報を画像情報記録手段に記録させる動画像情報記録プログラムであって、前記コンピュータを、前記通信回線または前記放送波の少なくとも何れか一方によって提供される動画像情報を取得する動画像情報取得手段、前記提供される動画像情報の特性を示す特性情報を取得する特性情報取得手段、前記取得された特性情報に基づいて前記動画像情報を画像情報記録手段に記録する際の単位画像情報当たりの記録すべき情報量を示す記録レートを設定する設定手段、前記設定された記録レートに基づいて前記取得された動画像情報を前記画像情報記録手段に記録させる記録制御手段、として機能させる構成を有している。
【発明を実施するための最良の形態】
【００１０】
以下、本願の実施の形態について、図面を参照しながら説明する。
【００１１】
なお、以下に説明する実施の形態は、音声データと映像データを含むコンテンツデータの記録および読み出しが為されるハードディスク（以下、「ＨＤ」という。）およびＤＶＤ（Digital Versatile Disc）ドライブを備えた情報記録再生装置に対して、本願の動画像情報記録装置を適用した場合の実施の形態である。また、以下において記録レートとは、コンテンツデータが記録される際に、入力された映像データ（以下、動画像データともいう。）における各単位画像情報当たりの記録すべき情報量を示す。
【００１２】
〔第１実施形態〕
始めに、図１〜図３を用いて本願に係る情報記録再生装置の第１実施形態について説明する。
【００１３】
まず、図１および図２図を用いて情報記録再生装置の全体構成および概要動作について説明する。なお、図１は本願に係る情報記録再生装置の概要構成を示すブロック図であり、図２は、データ格納部におけるＨＤに記録されるコンテンツデータと記録レートの関係を示す図の一例である。
【００１４】
本実施形態の情報記録再生装置１００は、図１に示すように、アンテナＡＴを介して各放送局から送信された放送波を受信するＴＶ受信部１０１と、コンテンツデータが記録されるＤＶＤ２０を装着し、当該ＤＶＤ２０に対してコンテンツデータの書込みまたは読み出しを行うＤＶＤドライブ１０２と、外部から入力されたコンテンツデータ、ＴＶ受信部１０１によって受信されたコンテンツデータまたはＤＶＤドライブ１０２から読み出されたコンテンツデータに対して所定の入力処理を行う入力処理部１０３と、入力処理されたコンテンツデータに対して予め設定された単位画像情報当たりの記録すべき情報量を示す記録レートにて所定の圧縮形式のデータ形式にエンコードするエンコーダ１０４と、所定の形式にエンコードされたコンテンツデータに基づいてプログラムストリームを生成するマルチプレクサ１０５と、を有している。
【００１５】
また、この情報記録再生装置１００は、入力されたコンテンツ管理情報から記録すべきコンテンツデータの時間帯の情報（以下、時間帯情報という。）を抽出する情報抽出部１０７と、ＨＤ１０を有し、生成されたプログラムストリームを当該ＨＤ１０に記録するデータ格納部１０６と、時間帯毎に対応付けられた記録レートの情報（以下、記録レート情報という。）が予め記録されている記録レート情報記録部１０９と、前記コンテンツデータをＨＤ１０またはＤＶＤ２０に記録するために各種の設定操作を行う操作部１１１と、コンテンツデータを記録する際の記録レートを決定する記録レート決定部１１０と、操作部１１１において選択する際におよび記録レートを決定する際に用いられる表示部１１２と、ＨＤ１０またはＤＶＤ２０に記録されたコンテンツデータを再生する際に当該コンテンツデータに対して出力処理を行う出力処理部１１３と、放送されるテレビジョン番組の録画予約を管理する番組予約管理部１１４と、各部を制御するとともに、コンテンツデータが記録される際の記録レートの設定に関する制御および記録制御を行うシステム制御部１１５と、ＲＯＭ／ＲＡＭ１１６と、を有している。
【００１６】
なお、各部は、バス１１７により互いに接続されており、特に以下に記載した場合の他は、各情報またはコンテンツデータは、バス１１７を介して各部に入出力されるようになっている。
【００１７】
また、例えば、本実施形態のＴＶ受信部１０１、ＤＶＤドライブ１０２および入力処理部１０３は、本発明の画像情報取得手段を構成するとともに、データ格納部１０６は、本発明の画像情報記録手段を構成し、情報抽出部１０７は、本発明の特性情報取得手段および特定情報取得手段を構成する。また、例えば、本実施形態の記録レート情報記録部１０９は、本発明の記録手段を構成し、記録レート決定部１１０は、本発明の設定手段および記録レート決定手段を構成する。さらに、例えば、本実施形態のシステム制御部１１５は、本発明の記録制御手段を構成する。
【００１８】
ＴＶ受信部１０１は、アンテナＡＴを介して各放送局から送信された放送波、例えば、ＶＨＦ（Very High Frequency）放送またはＢＳ（Broadcasting Satellite）デジタル放送などのＲＦ信号を受信するようになっており、ユーザの選択した受信帯域に同調して受信された信号波をＩＦ（中間周波数）信号に変換するようになっている。そして、このＴＶ受信部１０１は、変換されたＩＦ信号をＴＶ用の映像信号および音声信号（以下、単にＴＶ用信号という。）に復調するとともに、当該ＴＶ用信号をＮＴＳＣ信号などの通常の映像信号にデコード処理を行うことによってコンテンツデータを生成し、当該生成されたコンテンツデータを入力処理部１０３に出力するようになっている。
【００１９】
また、ＴＶ受信部１０１は、受信している放送波に放送時刻や放送時間などのコンテンツデータを管理するためのコンテンツ管理情報が付帯されている場合には、当該コンテンツ管理情報を信号波から検出して当該検出されたコンテンツ管理情報を情報抽出部１０７に出力するようになっている。
【００２０】
例えば、放送波がＢＳデジタル放送である場合に、ＴＶ受信部１０１は、メタデータと呼ばれる、放送波におけるコンテンツデータについて所定の情報を記述したデータを、当該コンテンツデータとは別に受信するようになっており、このＴＶ受信部１０１は、受信されたメタデータをコンテンツ管理情報として情報抽出部１０７に出力するようになっている。
【００２１】
なお、ＴＶ受信部１０１は、放送されるコンテンツデータの記録を予約する際に、システム制御部１１５の制御に基づいてメタデータを受信するようになっており、当該受信されたメタデータを情報抽出部１０７に抽出するようになっている。
【００２２】
また、このメタデータには、当該コンテンツデータが放送されるチャンネルの情報、放送の開始時刻や終了時刻、当該コンテンツデータの総時間、当該コンテンツデータのジャンル、題名、出演者などのコンテンツデータに関する各種のデータ、コンテンツデータの再生時に挿入される広告情報の挿入時刻など当該広告情報に関する各種のデータが含まれている。
【００２３】
ＤＶＤドライブ１０２は、ＤＶＤ２０を着脱可能に装着できる構造を有するとともに、ＡＴＡＰＩ（AT Attachment Packet Interface）などの規格に準拠したＤＶＤ２０用ドライブインターフェースを有している。また、このＤＶＤドライブ１０２は、システム制御部１１５の制御の下、ＤＶＤ２０に記録するデータまたはＤＶＤ２０から読み出すデータのデータに関する入出力の切り換え、および、それに伴うＤＶＤ２０の記録および再生の制御を行うようになっている。
【００２４】
具体的には、このＤＶＤドライブ１０２は、予め記録されたコンテンツデータを有するプログラムストリームを当該ＤＶＤ２０から読み出し、バス１１７を介して入力処理部１０３に出力するようになっており、また、エンコーダ１０４によって生成されたプログラムストリームを、バス１１７を介して受信し、当該受信されたプログラムストリームをＤＶＤ２０に記録するようになっている。
【００２５】
入力処理部１０３は、コンテンツデータを外部から入力するための入力端子に接続されるとともに、この入力処理部１０３には、当該入力端子を介して外部から入力されたコンテンツデータ、ＴＶ受信部１０１から出力されたコンテンツデータおよびＤＶＤドライブ１０２から出力されたプログラムストリームが入力されるようになっている。
【００２６】
この入力処理部１０３は、入力されたコンテンツデータまたはプログラムストリームに対して所定の形式への信号変換またはアナログからデジタルの信号に変換するＡ／Ｄ変換などの予め定められた処理を行うとともに、予め定められた処理が行われたコンテンツデータを、映像データおよび音声データのデータ毎にバス１１７を介してエンコーダ１０４に出力するようになっている。
【００２７】
特に、この入力処理部１０３は、ＤＶＤドライブ１０２から出力されたプログラムストリームが入力された場合には、この入力されたプログラムストリームから映像データおよび音声データを分離してそれぞれ所定の形式にデコードするとともに、デコードされた映像データおよび音声データを、それぞれ、エンコーダ１０４に出力するようになっている。
【００２８】
例えば、この入力処理部１０３は、入力されたプログラムストリームからＭＰＥＧ形式を有する映像データおよびＡＣ−３形式を有する音声データを分離するとともに、それぞれ各形式を有するデータを映像データまたは音声データに復号し、当該復号された各信号をエンコーダ１０４に出力するようになっている。
【００２９】
また、この入力処理部１０３は、外部から入力されたコンテンツデータまたはプログラムストリームに放送波と同様にメタデータなどのコンテンツを管理するため、または、記録されたプログラムストリームを管理するためのコンテンツ管理情報が付帯されている場合には、当該付帯されているコンテンツ管理情報を、バス１１７を介して情報抽出部１０７に出力するようになっている。
【００３０】
例えば、ＤＶＤ２０から読み出されたコンテンツデータをＨＤ１０に記録する場合には、ＤＶＤ２０の制御情報領域に記録されたコンテンツ管理情報を、入力されたプログラムストリームから検出し、当該検出された管理情報を情報抽出部１０７に出力するようになっている。
【００３１】
エンコーダ１０４には、入力処理部１０３から出力されたコンテンツデータである映像データおよび音声データがそれぞれ入力されるようになっており、このエンコーダ１０４は、入力された映像データに対して、システム制御部１１５によって指示された記録レートに基づいてエンコードするとともに、入力された音声データに対して、予め設定された形式によってエンコードするようになっている。そして、このエンコーダ１０４は、エンコードされた映像データおよび音声データのそれぞれバス１１７を介してマルチプレクサ１０５に出力するようになっている。
【００３２】
具体的には、エンコーダ１０４は、後述するように、記録を開始する際に記録レートが指示された際に、設定された単位画像情報当たりの記録すべき情報量である記録レートに基づいて、入力された映像データをエンコードし、当該エンコードされたコンテンツデータをマルチプレクサ１０５に出力するようになっている。
【００３３】
例えば、エンコーダ１０４がＭＰＥＧ方式によってエンコードする場合に、当該エンコーダ１０４は、システム制御部１１５の制御の下、記録レートを平均記録レートとし、当該設定された記録レートを超えない範囲で、映像データの特性に基づいて変化してコンテンツデータをエンコードするようになっている。
【００３４】
ＭＰＥＧの動画像データの各画像は、Ｉピクチャ、Ｂピクチャ、Ｐピクチャによって表され、Ｉピクチャを基準として差分によりＭＰＥＧ形式のデータにエンコード（予測符号化）するようになっている。したがって、記録レートは、常に一定ではなく、予め所定の値を設定したとしても、画像データの有する成分、すなわち、輝度が暗い画像、画像の変化が乏しい画像など画像の特性によっては、各ピクチャの単位画像情報当たりの記録すべき情報量を示す記録レートは低レートに変化するようになっている。このため、上述のようなＭＰＥＧ方式によってエンコードする場合には、エンコーダ１０４は、システム制御部１１５の制御の下、記録レートが常に一定に設定されたとしても、基本的には、平均的な記録レートによってコンテンツデータを記録するようになっている。
【００３５】
なお、Ｉピクチャ（intra-coded picture：イントラ符号化画像）とは、自らの画像のみで完全なフレーム画像を再生することができるフレーム画像をいい、Ｐピクチャ（Predictive-coded picture：前方予測符号化画像）とは、既に復号化されたＩピクチャ又は他のＰピクチャに基づいて補償再生された予測画像との差を復号化する等して生成される予測画像をいう。また、Ｂピクチャ（Bidirectionally predictive-coded picture：両方向予測符号化画像）とは、既に復号化されたＩピクチャ又はＰピクチャのみでなく、光ディスク等に記録されている時間的に未来のＩピクチャ又はＰピクチャをも予測に用いて再生される予測画像をいう。
【００３６】
マルチプレクサ１０５には、バス１１７を介してエンコードされた映像データおよび音声データがそれぞれ入力されるようになっており、このマルチプレクサ１０５は、入力された映像データおよび音声データをマルチプレクス（多重化）してプログラムストリームを生成し、当該生成されたプログラムストリームをデータ格納部１０６に出力するようになっている。
【００３７】
データ格納部１０６は、内部にＨＤ１０を有するとともに、ＡＴＡＰＩなどの規格に準拠したＨＤ１０用ドライブインターフェースを有しており、システム制御部１１５の制御の下、ＨＤ１０に記録するデータまたはＨＤ１０から読み出すデータのデータに関する入出力の切り換え、および、それに伴うＨＤ１０の記録再生の制御を行うようになっている。
【００３８】
情報抽出部１０７には、バス１１７を介してコンテンツ管理情報が入力されるようになっており、この情報抽出部１０７は、入力されたコンテンツ管理情報から記録すべきコンテンツデータの時間帯の時間帯情報を抽出し、当該抽出された時間帯情報を記録レート決定部１１０に出力するようになっている。
【００３９】
例えば、情報抽出部１０７は、ＢＳデジタル放送によって受信されたコンテンツデータにおける時間帯情報を抽出する場合には、メタデータから当該コンテンツデータの放送開始時刻と放送終了時刻を抽出し、当該抽出された各時刻の情報を時間帯情報として記録レート決定部１１０に出力するようになっている。
【００４０】
記録レート情報記録部１０９には、各時間帯毎にコンテンツデータを記録する際の記録レートが対応付けられた記録レート情報が記録されるようになっており、記録レート情報記録部１０９は、システム制御部１１５の制御の下、記録すべきコンテンツデータの記録レート決定する際に、記録レート決定部１１０によって参照されるようになっている。
【００４１】
具体的には、本実施形態の記録レート情報記録部１０９には、時間毎に記録レートが対応付けられた記録レート情報が記録されており、例えば、コンテンツデータを高い頻度にて記録することが予想される１９時〜２３時までの時間には超高記録レート（１０Ｍｂｐｓ（bit per second））、当該高記録レートで記録するほどの頻度ではないがある程度にて記録することが予想される１８時〜１９時および２３時から２４時までを高記録レート（５Ｍｂｐｓ）、および深夜の時間帯を中記録レート（２．５Ｍｂｐｓ）およびこれら以外の時間帯を低記録レート（１．７Ｍｂｐｓ）の各記録レートが対応付けられた記録レート情報が記録されている。
【００４２】
記録レート決定部１１０には、抽出された時間帯情報が入力されるようになっており、この記録レート決定部１１０は、システム制御部１１５の制御の下、入力された時間帯情報に基づいて記録レート情報記録部１０９を検索して記録すべきコンテンツデータの記録レートを決定する記録レートの決定を行うようになっている。そして、この記録レート決定部１１０は、当該決定された記録レートを決定記録レート情報としてシステム制御部１１５にバス１１７を介して出力するようになっている。
【００４３】
具体的には、記録レート決定部１１０には、メタデータによって抽出された放送開始時刻と放送終了時刻の各情報が入力されるようになっており、この記録レート決定部１１０は、後述する記録レートの設定を行う記録レート情報の設定処理の際に、入力された各時刻で示される時間帯を特定するとともに、当該特定された時間帯に基づいて記録レート情報記録部１０９を検索し、当該時間帯に対応する記録レートを記録レートとして決定するようになっている。
【００４４】
なお、コンテンツデータが複数の時間帯に跨って記録される場合には、記録レート決定部１１０は、例えば記録する時間の最初の時間帯に設定されている記録レートを設定するようになっている。
【００４５】
操作部１１１は、各種確認ボタン、選択ボタン及び数字キー等の多数のキーを含むリモートコントロール装置または各種キーボタンにより構成されており、特に、本実施形態では、操作部１１１は、表示部１１２とともに、放送波によって提供されるコンテンツデータ、例えば、番組の予約録画を行う際に、記録時刻の設定などの番組予約の設定操作など後述する記録レート情報の設定処理の際に用いられるようになっている。
【００４６】
表示部１１２は、例えば、液晶表示素子またはＥＬ（Electric luminescence）素子によって構成され、システム制御部１１５の制御にしたがって、記録レート情報を選択し直す旨の通知、選択すべき記録レート情報に関する通知、決定された記録レートの各情報の表示、および、予約記録に関する通知を行うようになっている。
【００４７】
出力処理部１１３には、ＨＤ１０またはＤＶＤ２０に記録されたコンテンツデータを再生する際に、ＨＤ１０またはＤＶＤ２０から読み出されたプログラムストリームが入力されるようになっており、この出力処理部１１３は、入力されたプログラムストリームを音声データと映像データに分離するとともに、これらの各データに対して所定のデコード処理、アナログ化処理など所定の処理を行うことによって、コンテンツデータにおける映像信号および音声信号を生成し、当該生成された映像信号および映像信号を、出力端子を介してそれぞれ外部に出力するようになっている。
【００４８】
なお、例えば、外部には、音声を拡声する機能を有するモニタが接続されるようになっており、出力処理部１１３から出力された映像信号または音声信号は、当該モニタによって拡声され、および、表示させるようになっている。
【００４９】
番組予約管理部１１４には、操作部１１１によって操作された番組の録画予約の情報（以下、予約情報という）が入力されるようになっており、この番組予約管理部１１４は、当該入力された予約情報を内部に格納するようになっている。
【００５０】
また、この番組予約管理部１１４は、タイマを有し、入力された予約情報および当該タイマに基づいてシステム制御部１１５を介してＴＶ受信部１０１を制御し、設定された時刻に設定されたチャンネルによるコンテンツデータを設定された時刻までＨＤ１０またはＤＶＤ２０に記録させるようになっている。
【００５１】
なお、放送されるコンテンツデータにおいて、番組予約が為され、記録レート情報が決定された場合には、番組予約管理部１１４は、決定記録レート情報を予約情報とともに内部に格納するようになっており、当該番組予約によるコンテンツデータの記録を行う際に、システム制御部１１５に出力するようになっている。
【００５２】
システム制御部１１５は、ＨＤ１０またはＤＶＤ２０にコンテンツデータを記録するため、および、ＨＤ１０またはＤＶＤ２０からコンテンツデータを読み出すための全般的な機能を総括的に制御するようになっている。
【００５３】
特に、このシステム制御部１１５は、コンテンツデータを記録する際の記録レートを決定する記録レート情報の設定処理を制御するとともに、内部にタイマを有し、当該記録決定処理に基づいてコンテンツデータを記録する際に、当該タイマを用いて、記録レートに基づく記録制御（以下、単に記録処理という。）を行うようになっている。
【００５４】
例えば、図２に示すように、システム制御部１１５は、各部を制御して提供されるコンテンツデータの時間帯に基づいて記録レートを変更して当該提供されたコンテンツデータをＨＤ１０に記録させるようになっている。
【００５５】
なお、図２は、データ格納部１０６におけるＨＤ１０に記録される各コンテンツデータと記録レートの関係を示す図の一例であり、各コンテンツデータがＨＤ１０に記録されている状態を示す。また、本実施形態におけるシステム制御部１１５の記録レート情報の設定処理および記録処理の動作については、後述する。
【００５６】
次に、図３を用いて本実施形態における記録レート情報の設定処理および記録処理の動作について説明する。
【００５７】
なお、図３は、本実施形態における記録レート情報の設定処理および記録処理の動作を示すフローチャートである。また、本動作は記録レート情報の設定処理は記録処理の前処理として行われるようになっているものとして説明する。
【００５８】
まず、ユーザが操作部１１１によって、所定の日時に放送されるコンテンツデータの予約記録の設定を開始する旨が入力されると、システム制御部１１５は、番組予約管理部１１４、表示部１１２および操作部１１１を用いて、ユーザに、放送日時および放送されるチャンネルなどの各種の予約記録に必要な予約情報を設定させる（ステップＳ１１）。
【００５９】
次いで、システム制御部１１５は、予約情報に基づいてＴＶ受信部１０１に当該予約されたコンテンツデータのメタデータを受信させるとともに（ステップＳ１２）、番組情報抽出部１０７に受信されたメタデータからコンテンツデータの放送開始時刻と放送終了時刻の各情報を抽出し、当該各情報を時間帯情報として記録レート決定部１１０に出力させる（ステップＳ１３）。
【００６０】
次いで、システム制御部１１５は、記録レート決定部１１０に、入力された時間帯情報に基づいて、記録レート情報記録部１０９を参照し、コンテンツデータを記録する際の記録レートを決定する（ステップＳ１４）。
【００６１】
具体的には、システム制御部１１５は、記録レート決定部１１０に、コンテンツデータの開始時刻と終了時刻に基づいてコンテンツデータを記録する時間帯が記録レート情報記録部１０９に記録されている何れかの時間帯に属するかを判断させるとともに、判断された記録レートの情報を取得する。なお、記録レート決定部１１０によってコンテンツデータを記録する時間帯が複数の時間帯に属すると判断された場合には、例えば最初の時間帯の時間帯が設定された記録レートの情報を取得する。
【００６２】
次いで、システム制御部１１５は、決定された記録レートを決定記録レート情報として番組予約管理部１１４に出力させ、他の予約情報とともに、内部に格納させ、記録処理の実行を待機する（ステップＳ１５）。
【００６３】
次いで、番組予約管理部１１４が予約情報に示される時刻が到来すると（ステップＳ１６）、当該予約情報をシステム制御部１１５に出力し、当該システム制御部１１５は、ＴＶ受信部１０１およびエンコーダ１０４を制御して予約情報に基づいてコンテンツデータの記録を開始する（ステップＳ１７）。
【００６４】
このとき、システム制御部１１５は、入力された予約情報をＲＯＭ／ＲＡＭ１１６に記録しつつ、ＴＶ受信部１０１に予約情報によって示されるチャンネルのコンテンツデータを受信させ、エンコーダ１０４に記録する際の記録レートを予約情報の決定記録レート情報によって示される記録レートに設定させてコンテンツデータの記録処理を開始する。
【００６５】
次いで、システム制御部１１５は、予約情報に示される記録終了時刻が到来すると（ステップＳ１８）、当該記録処理を終了させて本動作を終了させる。
【００６６】
なお、本動作において、ステップＳ１１〜ステップＳ１５までの処理は、記録処理の前処理である記録レート情報の決定処理の各処理であり、ステップＳ１６〜ステップＳ１９までの処理は、記録処理の各処理である。
【００６７】
以上のように、本実施形態の情報記録再生装置１００によれば、放送波により予め定められた時間帯に提供されるコンテンツデータをデータ格納部１０６に記録させる情報記録再生装置１００であって、放送波によって提供される動画像情報を取得するＴＶ受信部１０１、入力処理部１０３およびＤＶＤドライブ１０２と、提供される動画像情報の特性を示す特性情報を取得する情報抽出部１０７と、取得された特性情報に基づいて動画像情報をデータ格納部１０６に記録する際の単位画像情報当たりの記録すべき情報量を示す記録レートを設定する記録レート決定部１１０と、設定された記録レートに基づいて取得された動画像情報をデータ格納部１０６に記録させるシステム制御部１１５と、を備える構成を有している。
【００６８】
この構成により、本実施形態の情報記録再生装置１００は、取得された特性情報に基づいて動画像情報をデータ格納部１０６に記録する際の単位画像情報当たりの記録すべき情報量を示す記録レートが設定されるとともに、設定された記録レートに基づいて取得された動画像情報をデータ格納部１０６に記録される。
【００６９】
したがって、コンテンツデータが提供される時間帯または当該コンテンツデータのジャンルなどの特性情報に基づいて記録レートを決定することができるので、コンテンツデータの記録予約などの設定を行う際に、コンテンツデータの記録レートを設定することなく、当該記録レートを設定することができる。この結果、ユーザの操作性を向上させることができるとともに、コンテンツデータ毎に適した記録レートによってコンテンツデータを記録することができるので、記録媒体の記憶容量の効率的な使用を実現することができる。
【００７０】
また、本実施形態の情報記録再生装置１００によれば、特性情報が、コンテンツデータが提供される時間帯を示す時間帯情報である場合に、情報抽出部１０７が、データ格納部１０６に記録する際に、当該記録すべき動画像情報を特定する特定情報を取得するとともに、取得された特定情報に基づいて動画像情報の提供される時間帯を検出することによって特性情報である時簡帯情報を取得する構成を有している。
【００７１】
この構成により、本実施形態の情報記録再生装置１００は、取得された時間帯情報に基づいて動画像情報をデータ格納部１０６に記録する際の単位画像情報当たりの記録すべき情報量を示す記録レートが設定されるとともに、設定された記録レートに基づいて取得された動画像情報をデータ格納部１０６に記録される。
【００７２】
したがって、コンテンツデータが提供される時間帯に基づいて記録レートを決定することができるので、コンテンツデータの記録予約などの設定を行う際に、コンテンツデータの記録レートを設定することなく、当該記録レートを設定することができる。この結果、ユーザの操作性を向上させることができるとともに、コンテンツデータ毎に適した記録レートによってコンテンツデータを記録することができるので、記録媒体の記憶容量の効率的な使用を実現することができる。
【００７３】
また、本実施形態の情報記録再生装置１００によれば、動画像情報を記録する時間帯毎に記録レートが対応付けられた記録レート情報が予め記録されている記録レート情報記録部１０９と、取得された時間帯情報によって示される時間帯と記録レート情報記録部１０９に記録されている記録レート情報に基づいて動画像情報毎にデータ格納部１０６に記録する際の記録レートを設定する記録レート決定部１１０と、を有する構成をしている。
【００７４】
この構成により、本実施形態の情報記録再生装置１００は、取得された時間帯情報によって示される時間帯と記録レート情報記録部１０９に記録されている記録レート情報に基づいて動画像情報毎にデータ格納部１０６に記録する際の記録レートを設定する。
【００７５】
したがって、コンテンツデータが提供される時間帯に基づいて記録レートを決定することができるので、コンテンツデータの記録予約などの設定を行う際に、コンテンツデータの記録レートを設定することなく、当該記録レートを設定することができる。この結果、ユーザの操作性を向上させることができる。
【００７６】
なお、本実施形態では、メタデータに基づいて記録すべきコンテンツデータの時間帯を検出するようになっているが、操作部１１１によってコンテンツデータの予約記録を行う際に、当該予約記録を行う際に設定されたコンテンツデータの記録開始時刻および記録終了時刻に基づいて記録レートを設定するようにしてもよい。
【００７７】
この場合、番組予約管理部１１４は、予約記録における各情報設定された場合に、記録開始時刻および記録終了時刻を記録レート決定部１１０に出力するようになっている。
【００７８】
また、本実施形態では、記録レート情報記録部１０９には、時間毎に対応付けられた記録レートを示す記録レート情報が記録され、当該記録レート情報を用いて記録レートが決定されるようになっているが、時間毎だけでなく、曜日毎、または、月毎にコンテンツデータを記録する際の記録レートが対応付けられている記録レート情報に基づいて記録レートを決定するようにしてもよい。
【００７９】
また、この場合であって、メタデータにてコンテンツデータの記録レートを特定する場合には、ＴＶ受信部１０１または入力処理部１０３は、曜日毎に記録レートを設定する場合には、当該予約記録を行う際に設定された曜日情報を、月毎に記録レートを設定する場合には、その日付の情報を記録レート決定部１１０に出力するようになる。一方、この場合であって、操作部１１１の操作によって設定された予約情報に基づいてコンテンツデータの記録レートを特定する場合には、予約管理部は、曜日毎に記録レートを設定する場合には、当該予約記録を行う際に設定された曜日情報を、月毎に記録レートを設定する場合には、その日付の情報を記録レート決定部１１０に出力するようになる。
【００８０】
また、本実施形態では、コンテンツデータとともに放送波によって提供されるメタデータを受信して当該コンテンツデータをＨＤ１０に記録する際の記録レートを設定するようになっているが、コンテンツデータを放送波によって受信するとともに、インターネットなど有線または無線の通信回線により提供される当該コンテンツデータのメタデータを受信することによって、当該コンテンツデータをＨＤ１０に記録する際の記録レートを設定してもよい。
【００８１】
また、本実施形態では、ＴＶ受信部１０１によって放送波により提供されるコンテンツデータを記録する際に記録レートを設定する記録レート情報の設定処理を行うようになっているが、インターネットなどの通信回線に接続されたデータ受信部を備え、当該通信回線によって提供されるコンテンツデータを記録する際に記録レート情報の設定処理を行うようにしてもよい。
【００８２】
また、本実施形態では、記録レート情報の設定処理または記録処理の動作を、記録レート決定部１１０およびシステム制御部１１５によって実行するようになっているが、当該記録レート情報の設定処理および記録処理の動作を規定するプログラムが記録された記録媒体と、それを読み取るコンピュータと、を備え、このコンピュータで当該プログラムを読み込むことによって上述と同様の記録レート情報の設定処理および記録処理の動作を行うようにしてもよい。
【００８３】
〔第２実施形態〕
次に、図４を用いて本願に係る情報記録再生装置の第２実施形態について説明する。
【００８４】
なお、本実施形態は、第１実施形態において、コンテンツデータの記録開始時刻および記録終了時刻に基づいて記録レートを決定する点に代えて、コンテンツデータのジャンルを示すジャンル情報に基づいて記録レートを決定する点に特徴があり、その他の構成は第１実施形態と同様であるため、同一の部材には同一の番号を付してその説明を省略する。
【００８５】
具体的には、本実施形態の情報抽出部１０７は、コンテンツ管理データからジャンル情報を抽出するとともに、記録レート情報記録部１０９には、各ジャンル毎に対応付けられた記録レート情報が記録されるようになっている。また、記録レート決定部１１０は、この抽出されたジャンル情報に基づいて記録レート情報記録部１０９を参照して記録すべきコンテンツデータの記録レートを決定するようになっている。
【００８６】
次に、本実施形態における情報抽出部１０７、記録レート情報記録部１０９および記録レート決定部１１０について説明する。
【００８７】
本実施形態の情報抽出部１０７は、入力されたコンテンツ管理情報から記録すべきコンテンツデータのジャンル情報を抽出し、当該抽出されたジャンル情報を記録レート決定部１１０に出力するようになっている。
【００８８】
例えば、情報抽出部１０７は、ＢＳデジタル放送によって受信されたコンテンツデータにおけるジャンル情報を抽出する場合には、メタデータから当該コンテンツデータの所定の場所に記述された、ドラマ、バラエティ、映画、ニュースまたはスポーツなどのジャンルを示すジャンル情報を抽出し、当該抽出されたジャンル情報を記録レート決定部１１０に出力するようになっている。
【００８９】
記録レート情報記録部１０９には、各ジャンル毎にコンテンツデータを記録する際の記録レートが対応付けられた記録レート情報が記録されるようになっており、記録レート情報記録部１０９は、システム制御部１１５の制御の下、記録すべきコンテンツデータの記録レート決定する際に、記録レート決定部１１０によって参照されるようになっている。
【００９０】
例えば、本実施形態の記録レート情報記録部１０９には、ドラマまたは映画のジャンルには超高記録レート（１０Ｍｂｐｓ（bit per second））、バラエティまたはスポーツには高記録レート（５Ｍｂｐｓ）、およびニュース（２．５Ｍｂｐｓ）およびこれら以外のジャンルを低記録レート（１．７Ｍｂｐｓ）の各記録レートが対応付けられた記録レート情報が記録されている。
【００９１】
記録レート決定部１１０には、抽出されたジャンル情報が入力されるようになっており、この記録レート決定部１１０は、記録レート情報の設定処理の際に、システム制御部１１５の制御の下、入力されたジャンル情報に基づいて記録レート情報記録部１０９を検索して記録すべきコンテンツデータの記録レートを決定する記録レートの決定を行うようになっている。そして、この記録レート決定部１１０は、当該決定された記録レートを決定記録レート情報としてシステム制御部１１５にバス１１７を介して出力するようになっている。
【００９２】
次に、図４を用いて本実施形態における記録レート情報の設定処理および記録処理の動作について説明する。
【００９３】
なお、図４は、本実施形態における記録レート情報の設定処理および記録処理の動作を示すフローチャートである。また、本動作は記録レート情報の設定処理は記録処理の前処理として行われるようになっている。
【００９４】
まず、ユーザが操作部１１１によって、所定の日時に放送されるコンテンツデータの予約記録の設定を開始する旨が入力されると、システム制御部１１５は、番組予約管理部１１４、表示部１１２および操作部１１１を用いて、ユーザに、放送日時および放送されるチャンネルなどの各種の予約記録に必要な予約情報を設定させる（ステップＳ２１）。
【００９５】
次いで、システム制御部１１５は、予約情報に基づいてＴＶ受信部１０１に当該予約されたコンテンツデータのメタデータを受信させるとともに（ステップＳ２２）、番組情報抽出部１０７に受信されたメタデータからコンテンツデータのジャンル情報を抽出し、当該抽出されたジャンル情報を記録レート決定部１１０に出力させる（ステップＳ２３）。
【００９６】
次いで、システム制御部１１５は、記録レート決定部１１０に、入力されたジャンル情報に基づいて、記録レート情報記録部１０９を参照し、コンテンツデータを記録する際の記録レートを決定する（ステップＳ２４）。
【００９７】
具体的には、システム制御部１１５は、記録レート決定部１１０に、コンテンツデータのジャンル情報に基づいてコンテンツデータのジャンルが記録レート記録部に記録された何れかのジャンルに属するかを判断させるとともに、判断された記録レートの情報を取得する。
【００９８】
次いで、システム制御部１１５は、決定された記録レートを決定記録レート情報として番組予約管理部１１４に出力させ、他の予約情報とともに、内部に格納させ、記録処理の実行を待機する（ステップＳ２５）。
【００９９】
次いで、番組予約管理部１１４が予約情報に示される時刻が到来すると（ステップＳ２６）、当該予約情報をシステム制御部１１５に出力し、当該システム制御部１１５は、ＴＶ受信部１０１およびエンコーダ１０４を制御して予約情報に基づいてコンテンツデータの記録を開始する（ステップＳ２７）。
【０１００】
このとき、システム制御部１１５は、入力された予約情報をＲＯＭ／ＲＡＭ１１６に記録しつつ、ＴＶ受信部１０１に予約情報によって示されるチャンネルのコンテンツデータを受信させ、エンコーダ１０４に記録する際の記録レートを予約情報の決定記録レート情報によって示される記録レートに設定させてコンテンツデータの記録処理を開始する。
【０１０１】
次いで、システム制御部１１５は、予約情報に示される記録終了時刻が到来すると（ステップＳ２８）、当該記録処理を終了させて本動作を終了させる。
【０１０２】
なお、本動作において、ステップＳ２１〜ステップＳ２５までの処理は、記録処理の前処理である記録レート情報の設定処理の各処理であり、ステップＳ２６〜ステップＳ２９までの処理は、記録処理の各処理である。
【０１０３】
以上のように、本実施形態の情報記録再生装置１００によれば、放送波により予め定められた時間帯に提供されるコンテンツデータをデータ格納部１０６に記録させる情報記録再生装置１００であって、放送波によって提供される動画像情報を取得するＴＶ受信部１０１、入力処理部１０３およびＤＶＤドライブ１０２と、提供される動画像情報の特性を示す特性情報を取得する情報抽出部１０７と、取得された特性情報に基づいて動画像情報をデータ格納部１０６に記録する際の単位画像情報当たりの記録すべき情報量を示す記録レートを設定する記録レート決定部１１０と、設定された記録レートに基づいて取得された動画像情報をデータ格納部１０６に記録させるシステム制御部１１５と、を備える構成を有している。
【０１０４】
この構成により、本実施形態の情報記録再生装置１００は、取得された特性情報に基づいて動画像情報をデータ格納部１０６に記録する際の単位画像情報当たりの記録すべき情報量を示す記録レートが設定されるとともに、設定された記録レートに基づいて取得された動画像情報をデータ格納部１０６に記録される。
【０１０５】
したがって、コンテンツデータが提供される時間帯または当該コンテンツデータのジャンルなどの特性情報に基づいて記録レートを決定することができるので、コンテンツデータの記録予約などの設定を行う際に、コンテンツデータの記録レートを設定することなく、当該記録レートを設定することができる。この結果、ユーザの操作性を向上させることができるとともに、コンテンツデータ毎に適した記録レートによってコンテンツデータを記録することができるので、記録媒体の記憶容量の効率的な使用を実現することができる。
【０１０６】
また、本実施形態の情報記録再生装置１００によれば、特性情報が、コンテンツデータのジャンルを示すジャンル情報である場合に、情報抽出部１０７が、データ格納部１０６に記録する際に、当該記録すべき動画像情報を特定する特定情報を取得するとともに、取得された特定情報に基づいて動画像情報の提供されるジャンル情報を検出することによって特性情報であるジャンル情報を取得する構成を有している。
【０１０７】
この構成により、本実施形態の情報記録再生装置１００は、取得されたジャンル情報に基づいて動画像情報をデータ格納部１０６に記録する際の単位画像情報当たりの記録すべき情報量を示す記録レートが設定されるとともに、設定された記録レートに基づいて取得された動画像情報をデータ格納部１０６に記録される。
【０１０８】
したがって、コンテンツデータが提供される時間帯に基づいて記録レートを決定することができるので、コンテンツデータの記録予約などの設定を行う際に、コンテンツデータの記録レートを設定することなく、当該記録レートを設定することができる。この結果、ユーザの操作性を向上させることができるとともに、コンテンツデータ毎に適した記録レートによってコンテンツデータを記録することができるので、記録媒体の記憶容量の効率的な使用を実現することができる。
【０１０９】
また、本実施形態の情報記録再生装置１００によれば、動画像情報を記録する時間帯毎に記録レートが対応付けられた記録レート情報が予め記録されている記録レート情報記録部１０９と、取得された時間帯情報によって示される時間帯と記録レート情報記録部１０９に記録されている記録レート情報に基づいて動画像情報毎にデータ格納部１０６に記録する際の記録レートを設定する記録レート決定部１１０と、を有する構成をしている。
【０１１０】
この構成により、本実施形態の情報記録再生装置１００は、取得されたジャンル情報によって示される時間帯と記録レート情報記録部１０９に記録されている記録レート情報に基づいて動画像情報毎にデータ格納部１０６に記録する際の記録レートを設定する。
【０１１１】
したがって、コンテンツデータが提供されるジャンル情報に基づいて記録レートを決定することができるので、コンテンツデータの記録予約などの設定を行う際に、コンテンツデータの記録レートを設定することなく、当該記録レートを設定することができる。この結果、ユーザの操作性を向上させることができる。
【０１１２】
なお、本実施形態では、メタデータに基づいて記録すべきコンテンツデータのジャンル情報を検出するようになっているが、操作部１１１によってコンテンツデータの予約記録を行う際に、当該予約記録を行う際に設定されたコンテンツデータのジャンルに基づいて記録レートを設定するようにしてもよい。
【０１１３】
この場合、番組予約管理部１１４は、予約記録における各情報設定された場合に、設定されたジャンルをジャンル情報として記録レート決定部１１０に出力するようになっている。
【０１１４】
また、本実施形態では、当該コンテンツデータとともに放送波によって提供されるメタデータを受信して当該コンテンツデータをＨＤ１０に記録する際の記録レートを設定するようになっているが、コンテンツデータを放送波によって受信するとともに、インターネットなど有線または無線の通信回線により提供される当該コンテンツデータのメタデータを受信することによって、当該コンテンツデータをＨＤ１０に記録する際の記録レートを設定してもよい。
【０１１５】
また、本実施形態では、ＴＶ受信部１０１によって放送波により提供されるコンテンツデータを記録する際に記録レートを設定する記録レート情報の設定処理を行うようになっているが、インターネットなどの通信回線に接続されたデータ受信部を備え、当該通信回線によって提供されるコンテンツデータを記録する際に記録レート情報の設定処理を行うようにしてもよい。
【０１１６】
また、本実施形態では、記録レート情報の設定処理または記録処理の動作を、記録レート決定部１１０およびシステム制御部１１５によって実行するようになっているが、当該記録レート情報の設定処理および記録処理の動作を規定するプログラムが記録された記録媒体と、それを読み取るコンピュータと、を備え、このコンピュータで当該プログラムを読み込むことによって上述と同様の記録レート情報の設定処理および記録処理の動作を行うようにしてもよい。
【０１１７】
〔第３実施形態〕
次に、図５〜１０を用いて本願に係る情報記録再生装置の第３実施形態について説明する。
【０１１８】
なお、本実施形態は、時間経過に伴って記録レートが変更されてコンテンツデータが記録される点に特徴があり、特に、第１実施形態の記録レート情報の設定処理において、記録レートを決定する際に、予め設定された時間毎に記録レートを決定する点に特徴がある。その他の構成は第１実施形態と同様であるため、同一の部材には同一の番号を付してその説明を省略する。
【０１１９】
まず、図５〜図１０を用いて情報記録再生装置の全体構成および概要動作について説明する。なお、図５は本願に係る情報記録再生装置の概要構成を示すブロック図であり、図６〜図９は、記録レート情報記録部に記録される記録レート情報の一例である。また、図１０は、データ格納部におけるＨＤに記録される各コンテンツデータと記録レートの関係を示す図の一例である。
【０１２０】
本実施形態の情報記録再生装置２００は、図５に示すように、ＴＶ受信部１０１と、ＤＶＤドライブ１０２と、入力処理部１０３と、エンコーダ２０１と、マルチプレクサ１０５と、データ格納部１０６と、入力されたコンテンツ管理情報から記録すべきコンテンツデータの総時間の情報（以下、コンテンツ総時間情報という。）を抽出する情報抽出部２０２と、データ格納部１０６におけるＨＤ１０におけるコンテンツデータの記録可能な容量を検出する未記録容量検出部２０３と、時間進行に伴って切り換わるパターン化された複数の記録レート情報が予め記録されている記録レート情報記録部２０４と、コンテンツデータを記録する際の記録レートを決定するコンテンツデータの記録処理を行う記録レート決定部２０５と、操作部１１１と、表示部１１２と、を有している。
【０１２１】
また、この情報記録再生装置２００は、出力処理部１１３と、番組予約管理部１１４と、各部を制御するとともに、コンテンツデータが記録される際の記録レートの設定に関する制御および記録制御を行うシステム制御部２０６と、ＲＯＭ／ＲＡＭ１１６と、を有している。
【０１２２】
なお、各部は、バス１１７により互いに接続されており、特に以下に記載した場合の他は、各情報またはコンテンツデータは、バス１１７を介して各部に入出力されるようになっている。
【０１２３】
また、例えば、本実施形態の情報抽出部２０２は、本発明の総時間情報取得手段を構成するとともに、本実施形態の未記録容量検出部２０３は、本発明の認識手段を構成し、記録レート情報記録部２０４は、本発明のレート情報記録手段を構成する。さらに、例えば、本実施形態の記録レート決定部２０５は、本発明の設定手段を構成し、システム制御部２０６は、本発明の記録制御手段を構成する。
【０１２４】
エンコーダ２０１には、入力処理部１０３から出力されたコンテンツデータである映像データおよび音声データがそれぞれ入力されるようになっており、このエンコーダ２０１は、入力された映像データに対して、システム制御部２０６によって指示された記録レートに基づいてエンコーダ２０１するとともに、入力された音声データに対して、予め設定された形式によってエンコードするようになっている。そして、このエンコーダ２０１は、エンコードされた映像データおよび音声データのそれぞれバス１１７を介してマルチプレクサ１０５に出力するようになっている。
【０１２５】
具体的には、エンコーダ２０１は、後述するように、記録を開始する際またはコンテンツデータの記録中に記録レートが指示された際に、設定された単位画像情報当たりの記録すべき情報量である記録レートに基づいて、入力された映像データをエンコードし、当該エンコードされたコンテンツデータをマルチプレクサ１０５に出力するようになっている。
【０１２６】
例えば、エンコーダ２０１がＭＰＥＧ方式によってエンコードする場合に、当該エンコーダ２０１は、システム制御部２０６の制御の下、記録レートを平均記録レートとし、当該設定された記録レートを超えない範囲で、映像データの特性に基づいて変化してコンテンツデータをエンコードするようになっている。
【０１２７】
情報抽出部２０２には、バス１１７を介してコンテンツ管理情報が入力されるようになっており、本実施形態の情報抽出部２０２は、第１実施形態における時間帯情報の他に、入力されたコンテンツ管理情報から記録すべきコンテンツデータのコンテンツ総時間情報を抽出し、当該抽出されたコンテンツ総時間情報を時間帯情報とともに記録レート決定部２０５に出力するようになっている。
【０１２８】
例えば、情報抽出部２０２は、ＢＳデジタル放送によって受信されたコンテンツデータにおけるコンテンツ総時間情報を抽出する場合には、メタデータから当該コンテンツデータのコンテンツ総時間情報を抽出するようになっており、ＤＶＤ２０から読み出されたコンテンツデータを記録する場合には、検出された制御情報領域に記録されたコンテンツ管理情報からコンテンツ総時間情報を抽出するようになっている。
【０１２９】
未記録容量検出部２０３は、システム制御の下、データ格納部１０６におけるＨＤ１０の未記録容量を検出するようになっており、検出された未記録容量を未記録容量情報としてバス１１７を介して記録レート決定部２０５に出力するようになっている。
【０１３０】
具体的には、この未記録容量検出部２０３は、記録レート情報の設定処理において、コンテンツデータをＨＤ１０に記録するため当該コンテンツデータにおける時間経過に伴って変換する記録レートを決定する（以下、記録レート情報の決定処理という。）際に、ＨＤ１０において何れのデータも記録されていない未記録領域に記録することが可能なデータ量を検出するようになっており、当該データ量を未記録容量情報として記録レート決定部２０５に出力するようになっている。
【０１３１】
記録レート情報記録部２０４には、時間進行に伴って切り換わるパターン化された記録レートを示す記録レート情報が各種パターン（以下、記録パターンという。）毎に、かつ、時間帯毎に、複数記録されるようになっており、記録レート情報記録部２０４は、一の記録レート情報が決定される際に、システム制御部２０６の制御の下、各記録レート情報を記録レート決定部２０５にバス１１７を介して出力するようになっている。
【０１３２】
具体的には、この記録レート情報記録部２０４には、コンテンツデータを記録する際の全体の時間を基準として当該全体の時間における予め定められた時間軸の一区間（以下、単位分割区間という。）毎に、段階的に設定された記録レートが設定され、パターン化された記録レート情報が各パターン毎に各時間帯毎に分類されて複数記録されている。
【０１３３】
より詳細には、本実施形態では、図６〜図８に示すように、記録レート情報記録部２０４には、記録レートが４段階に設定されるとともに、コンテンツデータ全体に対して５区域または４区域に分割された記録レート情報が、各パターン毎に記録されるとともに、各パターンの記録レート情報毎に時間帯に分類されて記録されている。
【０１３４】
例えば、本実施形態では、記録レート情報記録部２０４には、
（１）コンテンツデータを再生する際に、当該再生当初の映像に対して記録レートを高く設定するとともにクライマックスの映像に対して記録レート高くするオープニング／クライマックス重視パターン、
（２）再生当初の映像に対して記録レートを高く設定するとともにエンディングの映像に対して記録レートを託するオープニング／エンディング重視パターン、
（３）再生後半部の映像に対して記録レートを高く設定するクライマックス重視パターン、
などの記録パターンが設定された記録レート情報が記録され、各記録パターンの各記録レート情報は、各パターン番号毎に時間帯の情報が対応付けられて記録されている。
【０１３５】
なお、各記録レート毎に記録レート情報は、保持する単位ブロック数に合わせて（５）〜（２０）または（４）〜（１６）のパターン番号が付与されて格納されているが、オープニング／クライマックス重視パターンの場合には、上位の番号から順に、（２０）〜（１７）のパターン番号にはコンテンツデータを高い頻度にて記録することが予想される１９時〜２３時までの第１時間帯、（１６）〜（１３）のパターン番号には当該高記録レートで記録するほどの頻度ではないがある程度にて記録することが予想される１８時〜１９時および２３時から２４時までの第２時間帯、（１２）〜（９）のパターン番号には深夜の時間帯の第３時間帯をおよび（８）〜（５）のパターン番号には上述以外の時間帯の第４時間帯の各情報を対応付けて記録されている。
【０１３６】
また、本実施形態では、記録レート情報記録部２０４には、各単位時間毎の記録レートが単位ブロックと呼ばれるブロックによって示される記録レート情報が記録されており、具体的には、横軸に一区域を示す時間（以下、単位時間という。）、縦軸に単位レートが設定された一のブロックを縦に積み重ねることにより、各単位時間の記録レートを示す記録レート情報が複数各パターン毎に記録される。ただし、本実施形態では、ＨＤ１０の未記録容量の関係上、コンテンツデータが常に一定の記録レートにて記録することができる場合、または、選択されたパターンを適用することができず、最低の記録レートにて記録しなければならない場合を想定し、記録レート情報記録部２０４には、各パターン毎に、各単位時間が最高記録レートに設定された記録レート情報および各単位時間が最低記録レートが設定された各記録レート情報が記録されている。
【０１３７】
また、この各記録レート情報は、後述する記録レート決定部２０５において、未記録残量などの他のデータとともに、コンテンツデータを記録する際の記録レートを決定する際に用いられるようになっており、各記録レート情報の全体の時間および一区域の時間（単位時間）は、定められておらず、後述する記録レート決定部２０５において定められるようになっている。
【０１３８】
記録レート決定部２０５には、操作部１１１によって選択された記録レート情報のパターン情報と、検出されたＨＤ１０の未記録容量情報と、抽出されたコンテンツ総時間情報および時間帯情報と、が入力されるようになっている。
【０１３９】
また、この記録レート決定部２０５は、記録レート情報の設定処理の際に、システム制御部２０６の制御の下、入力されたパターン情報、および、コンテンツ総時間情報に基づいて記録レート情報記録部２０４に記録されている入力されたパターン情報に属する各記録レート情報を読み出し、当該読み出された各記録レート情報に基づいてコンテンツデータを記録する際の記録レートを決定する記録レート情報の決定処理を行うようになっている。そして、この記録レート決定部２０５は、当該決定された記録レート情報を決定記録レート情報としてシステム制御部２０６にバス１１７を介して出力するようになっている。
【０１４０】
なお、本実施形態における記録レート決定部２０５の構成および記録レート情報の設定処理における記録レート情報の決定処理の詳細については、後述する。
【０１４１】
特に、このシステム制御部２０６は、コンテンツデータをＨＤ１０またはＤＶＤ２０に記録するための制御を行うとともに、コンテンツデータを記録する際にその前処理として行われる記録レート情報の設定処理および当該設定処理において記録レート決定部２０５における記録レート情報の決定処理の各処理を制御するようになっている。また、このシステム制御部２０６は、内部にタイマを有し、記録レート情報の設定処理において設定された記録レート情報に基づいてコンテンツデータを記録する際に、当該タイマを用いて、時間進行に伴って変更する記録レートの設定制御、および、記録レートに基づく記録制御の各処理を実行する記録処理を行うようになっている。
【０１４２】
例えば、図９に示すように、システム制御部は、各部を制御して提供されるコンテンツデータの時間帯に基づいて記録レートを変更して当該提供されたコンテンツデータをＨＤに記録させるようになっている。
【０１４３】
なお、図９は、データ格納部におけるＨＤに記録される各コンテンツデータと記録レートの関係を示す図の一例であり、各コンテンツデータがＨＤに記録されている状態を示す。具体的には、第１コンテンツデータ、第３コンテンツデータ、第４コンテンツデータおよび第（Ｎ−１）コンテンツデータは、高記録レートが適用される時間帯であり、第２コンテンツデータ、第５コンテンツデータおよび第Ｎコンテンツデータは、低記録レートが適用される時間帯を示す。また、本実施形態におけるシステム制御部の記録処理の動作については、後述する。
【０１４４】
本実施形態の情報記録再生装置２００は、以上のように構成されるようになっており、入力されたコンテンツデータをＨＤ１０に記録するようになっている。
【０１４５】
なお、本実施形態の操作部１１１は、表示部１１２に表示される情報に基づいて、コンテンツデータの記録中に記録レートを変更するか常に一定の記録レートにて記録するか否かの設定の際、および、当該記録レートを変更する設定が行われた場合には、記録レート情報の設定処理に関する各種データその他の設定の際に用いられるようになっている。
【０１４６】
具体的には、操作部１１１は、記録レートを変更する設定が行われた場合には、記録レート情報記録部２０４に記録されている記録レート情報の各パターンの情報、例えば、オープニング／クライマックス重視パターンやクライマックス重視パターンを選択するようになっており、選択されたパターンの情報（以下、パターン情報という。）を、バス１１７を介して記録レート決定部２０５に出力するようになっている。
【０１４７】
また、本実施形態において、表示部１１２は、上述したように単位ブロックによって示される各記録レート情報を後述する算出された単位時間量が適用されて表示するようになっている。
【０１４８】
次に、本実施形態における記録レート決定部２０５の構成について説明する。
【０１４９】
本実施形態の記録レート決定部２０５は、システム制御部２０６の制御の下、入力されたパターン情報、未記録容量情報、コンテンツ総時間情報および時間帯情報に基づいて記録レート情報記録部２０４から入力されたパターン情報に属する各記録レート情報を記録レート情報記録部２０４から読み出すようになっている。そして、この記録レート決定部２０５は、記録レート情報の設定処理の際に、読み出された各記録レート情報に基づいてコンテンツデータを記録する際の記録レートを決定する記録レート情報の決定処理を行うようになっており、当該決定された決定記録レート情報をシステム制御部２０６にバス１１７を介して出力するようになっている。
【０１５０】
具体的には、記録レート決定部２０５は、入力されたパターン情報およびコンテンツ総時間情報に基づいて、入力されたパターン情報における単位分割区間における時間量、すなわち、記録レート情報が設定される際の各記録レートが適用される単位時間量を算出するようになっている。例えば、本実施形態の記録レート決定部２０５は、コンテンツ総時間情報によって示されるコンテンツ総時間を、入力されたパターン情報の単位時間毎の分割数によって除算し、当該単位時間量を算出するようになっている。
【０１５１】
また、この記録レート決定部２０５は、選択された記録パターンの入力された時間帯情報に該当する各記録レート情報を記録レート情報記録部２０４から順次読み出すとともに、当該読み出された各記録レート情報に算出された単位時間量を適用し、すなわち、算出された単位時間量を各記録レート情報の一区間の単位時間に適所し、当該算出された単位時間量が適用された各記録レート情報の記録容量を算出するようになっている。そして、この記録レート決定部２０５は、算出された各記録レート情報における記録容量と未記録容量とを比較することによって、比較した結果、記録容量が未記録容量以下になる一の記録レート情報を決定記録レート情報としてシステム制御部２０６に出力するようになっている。
【０１５２】
例えば、本実施形態の記録レート決定部２０５は、まず、選択された記録パターンにおける高い記録レート情報（以下、高記録レート情報という。）から読み出すとともに、算出された単位時間量に基づいて当該読み出された高レベルの記録レートにおける記録容量を算出し、算出された記録容量が未記録容量以下の場合には、当該読み出された記録レート情報を決定記録レート情報としてシステム制御部２０６に出力するようになっている。
【０１５３】
一方、この記録レート決定部２０５は、算出された記録容量が未記録容量情報より大きい場合には、次に高記録レートを有する記録レート情報を読み出して、記録容量の算出、未記録容量との比較を行い、算出された記録容量が未記録容量以下になるまで、当該処理を繰り返すようになっている。
【０１５４】
また、この記録レート決定部２０５は、決定記録レート情報をシステム制御部２０６に出力する場合には、算出された単位時間量に基づく、すなわち、記録レート情報における一区間の単位時間に算出された単位時間量が適用された当該記録レート情報を出力するようになっている。
【０１５５】
なお、コンテンツデータが設定された記録レートによって記録される場合に、各画像データの特性により、上述のように、常に一定の記録レートによって記録されないが、本実施形態の記録レート決定部２０５は、記録容量の算出の容易化のため、および、的確にコンテンツデータを記録するために、単位分割区間における各記録レートに基づく記録容量の算出に関しては、各記録レートが一定であるものとして算出するようになっている。
【０１５６】
次に、図１０を用いて本実施形態における記録レート情報の設定処理および記録処理の動作について説明する。
【０１５７】
なお、図１０は、本実施形態における記録レート情報の設定処理および記録処理の動作を示すフローチャートである。また、本動作は記録レート情報の設定処理は記録処理の前処理として行われるようになっている。
【０１５８】
また、ユーザにより操作部１１１を介して予めコンテンツデータの記録レートを記録中に可変することが設定されているものとする。
【０１５９】
まず、ユーザが操作部１１１によって、所定の日時に放送されるコンテンツデータの予約記録の設定を開始する旨が入力されると、システム制御部２０６は、番組予約管理部１１４、表示部１１２および操作部１１１を用いて、ユーザに、放送日時および放送されるチャンネルなどの各種の予約記録に必要な予約情報を設定させる（ステップＳ３１）。
【０１６０】
次いで、システム制御部２０６は、操作部１１１を介してユーザにコンテンツデータの記録レートを可変するための記録パターンを設定させ、予約情報を番組予約管理部１１４に出力するとともに、記録パターンの情報を記録レート決定部２０５に出力する（ステップＳ３２）。
【０１６１】
例えば、本実施形態では、システム制御部２０６は、操作部１１１および表示部１１２を用いて、記録レート情報記録部２０４に記録されている平均記録パターン、オープニング／クライマックス重視パターンおよびクライマックス重視パターンの何れか一のパターンを選択させ、設定された当該記録パターンのパターン情報を記録レート決定部２０５に入力する。
【０１６２】
次いで、システム制御部２０６は、予約情報に基づいてＴＶ受信部１０１に当該予約されたコンテンツデータのメタデータを受信させるとともに（ステップＳ３３）、番組情報抽出部２０２に受信されたメタデータからコンテンツ総時間情報および時間帯を抽出させ、当該コンテンツ総時間情報を記録レート決定部２０５に出力させる（ステップＳ３４）。
【０１６３】
次いで、システム制御部２０６は、記録レート決定部２０５に、入力されたパターン情報およびコンテンツ総時間情報に基づいて、コンテンツ総時間を、入力されたパターン情報の単位時間毎の分割数によって除算し、当該単位時間量を算出させる（ステップＳ３５）。
【０１６４】
次いで、システム制御部２０６は、未記録容量検出部２０３に、ＨＤ１０の未記録容量を検出させ、検出された未記録容量を未記録容量情報として記録レート決定部２０５に出力させる（ステップＳ３６）。
【０１６５】
次いで、システム制御部２０６は、記録レート決定部２０５に、選択された記録パターンの入力された時間帯情報に該当する各記録レート情報を記録レート情報記録部２０４から順次読み出させるとともに、当該読み出された各記録レート情報に算出された単位時間量を適用し、一の記録レート情報を決定させる（記録レート情報の決定処理（ステップＳ３７））。
【０１６６】
なお、本実施形態では、システム制御部２０６は、順次、記録パターンの高記録レート情報毎に、記録レート決定部２０５に、
（１）選択された記録パターンにおける抽出された時間帯情報に該当する最高レベルの記録レート情報を読み出させる。
（２）算出された単位時間量に基づいて当該読み出された記録レートにおけるコンテンツデータをＨＤ１０に記録するための記録容量を算出させる。
（３）未記録容量情報によって示させる未記録容量と算出された記録容量を比較させる。
（４）算出された記録容量が未記録容量以下の場合には、当該読み出された記録レート情報を決定記録レート情報として決定させる。
（５）算出された記録容量が未記録容量情報によって示される未記録容量より大きい場合には、次の高記録レート情報を読み出させて当該（２）〜（３）の決定処理を繰り返させる。ただし、最低の記録レート情報によって算出された記録容量が未記録容量よりも大きいため、記録レート決定部２０５が記録レート情報を決定することができない場合には、システム制御部２０６は、記録レート決定部２０５に一の記録レート情報を設定させず、次の処理に移行する。
【０１６７】
次いで、システム制御部２０６は、記録レート決定部２０５に、一の記録レート情報を決定しているか否かを判断させ（ステップＳ３８）、記録レート決定部２０５が一の記録レート情報を決定している場合には、ステップＳ３９の処理に移行し、記録レート決定部２０５が一の記録レート情報を決定していない場合、すなわち、最低の記録レート情報によっても算出された記録容量が未記録容量より大きい場合には、当該記録レート情報の設定処理を中止して本動作を終了する。
【０１６８】
なお、記録レート決定部２０５が一の記録レート情報を決定することができない場合には、システム制御部２０６は、表示部１１２を制御し、当該表示部１１２に記録レート情報を決定することができない旨の警告等を表示させ、本動作を終了する。
【０１６９】
次いで、システム制御部２０６は、決定された決定記録レート情報を番組予約管理部１１４に出力させ、他の予約情報とともに、内部に格納させ、記録処理の実行を待機する（ステップＳ３９）。具体的には、システム制御部２０６は、記録レート決定部２０５に決定された記録レート情報を算出された単位時間量を適用した状態にて番組予約管理部１１４に出力させる。
【０１７０】
次いで、番組予約管理部１１４が予約情報に示される時刻が到来すると（ステップＳ４０）、当該予約情報をシステム制御部２０６に出力し、当該システム制御部２０６は、ＴＶ受信部１０１およびエンコーダ２０１を制御して予約情報に基づいてコンテンツデータの記録を開始する（ステップＳ４１）。
【０１７１】
このとき、システム制御部２０６は、入力された予約情報をＲＯＭ／ＲＡＭ１１６に記録しつつ、ＴＶ受信部１０１に予約情報によって示されるチャンネルのコンテンツデータを受信させ、エンコーダ２０１に記録する際の記録レートを予約情報の決定記録レート情報によって示される最初の記録レートに設定させてコンテンツデータの記録処理を開始する。
【０１７２】
次いで、システム制御部２０６は、予め定められた時間の経過後、ＲＯＭ／ＲＡＭ１１６に記録されている記録レート情報の単位時間量によって示される単位時間および内部に有するタイマに基づいて、現時刻が記録レートの切り換えタイミングであるか否かを判断する（ステップＳ４２）。
【０１７３】
例えば、システム制御部２０６は、５００ｍｓｅｃ経過後、現時刻が記録レートの切り換えタイミングであるか否かを判断する。
【０１７４】
システム制御部２０６が、現時刻が記録レートの切り換えタイミングであると判断した場合には、当該システム制御部２０６は、エンコーダ２０１を制御して記録レート情報によって示される次の記録レートに設定させてコンテンツデータの記録を継続し（ステップＳ４３）、ステップＳ４２の処理に移行する。
【０１７５】
一方、システム制御部２０６が、現時刻が記録レートの切り換えタイミングでないと判断した場合には、当該システム制御部２０６は、現時刻が予約情報に示されるコンテンツデータの記録終了時刻であるか否かを判断し（ステップＳ４４）、現時刻がコンテンツデータの記録終了時刻であると判断した場合には、当該記録処理を終了させ、現時刻がコンテンツデータの記録終了時刻でないと判断した場合は、ステップＳ４２の処理に移行する。
【０１７６】
なお、本動作において、ステップＳ３１〜ステップＳ３９までの処理は、記録処理の前処理である記録レート情報の設定処理の各処理であり、ステップＳ４０〜ステップＳ４４までの処理は、記録処理の各処理である。
【０１７７】
以上のように、本実施形態の情報記録再生装置２００によれば、放送波により予め定められた時間帯に提供されるコンテンツデータをデータ格納部１０６に記録させる情報記録再生装置２００であって、放送波によって提供される動画像情報を取得するＴＶ受信部１０１、入力処理部およびＤＶＤドライブと、提供される動画像情報の特性を示す特性情報を取得する情報抽出部２０２と、取得された特性情報に基づいて動画像情報をデータ格納部１０６に記録する際の単位画像情報当たりの記録すべき情報量を示す記録レートを設定する記録レート決定部２０５と、設定された記録レートに基づいて取得された動画像情報をデータ格納部１０６に記録させるシステム制御部２０６と、を備える構成を有している。
【０１７８】
この構成により、本実施形態の情報記録再生装置２００は、取得された特性情報に基づいて動画像情報をデータ格納部１０６に記録する際の単位画像情報当たりの記録すべき情報量を示す記録レートが設定されるとともに、設定された記録レートに基づいて取得された動画像情報をデータ格納部１０６に記録される。
【０１７９】
したがって、コンテンツデータが提供される時間帯などの特性情報に基づいて記録レートを決定することができるので、コンテンツデータの記録予約などの設定を行う際に、コンテンツデータの記録レートを設定することなく、当該記録レートを設定することができる。この結果、ユーザの操作性を向上させることができるとともに、コンテンツデータ毎に適した記録レートによってコンテンツデータを記録することができるので、記録媒体の記憶容量の効率的な使用を実現することができる。
【０１８０】
また、本実施形態の情報記録再生装置２００によれば、コンテンツデータを受信するＴＶ受信部１０１、外部からコンテンツデータを取得する入力処理部１０３およびＤＶＤ２０からコンテンツデータを取得するＤＶＤドライブ１０２と、取得されたコンテンツデータを記録させる際の時間進行に伴って切り換える単位画像情報当たりの記録すべき情報量を示す記録レートを予め設定する記録レート決定部２０５と、設定された記録レートに基づいて取得されたコンテンツデータをデータ格納部１０６に記録させるシステム制御部２０６と、を備え、システム制御部２０６が、コンテンツデータの記録中に、設定された記録レートを切り換えてコンテンツデータのデータ格納部１０６における記録制御を行うことによって当該データ格納部１０６に動画像情報を記録する構成を有している。
【０１８１】
この構成により、本実施形態の情報記録再生装置２００は、取得されたコンテンツデータを記録させる際の時間進行に伴って切り換える単位画像情報当たりの記録すべき情報量を示す記録レートを予め設定するとともに、コンテンツデータの記録中に、設定された記録レートを切り換えて当該コンテンツデータをデータ格納部１０６に記録する。
【０１８２】
したがって、データ格納部１０６におけるＨＤ１０の記録容量により、コンテンツデータを常に高画質にて記録するにはデータ格納部１０６におけるＨＤ１０の記録容量が十分でない場合であっても、当該コンテンツデータのクライマックスなどの一部を高画質にて記録させることも可能になるので、記録媒体の記憶容量の効率的な使用とユーザによる高画質化の要請を満足させることができる。
【０１８３】
また、本実施形態の情報記録再生装置１００によれば、時間進行に伴って切り換わる記録レートが予め設定された記録レート情報が複数記録される記録レート情報記録部１０９と、コンテンツデータの記録すべき総記録時間の情報である総記録時間情報を取得する情報抽出部１０７と、データ格納部１０６における記録することが可能な記録容量を認識する未記録容量検出部１０８と、を更に備え、記録レート決定部１１０が、取得した総記録時間情報および認識された記録容量に基づいて記録レート情報記録部１０９に記録された複数の記録レート情報から一の記録レート情報を予め設定する構成を有している。
【０１８４】
この構成により、本実施形態の情報記録再生装置１００は、取得した総記録時間情報および認識された記録容量に基づいて記録レート情報記録部１０９に記録された複数の記録レート情報から一の記録レート情報を予め設定する。
【０１８５】
したがって、コンテンツの総時間とＨＤ１０の未記録容量に基づいて、コンテンツデータを記録する際の記録レートが設定されるので、ユーザがコンテンツデータの各時間における記録レートを個々に設定する必要がなく、容易にかつ的確に、記録レートを設定することができる。
【０１８６】
さらに、時間進行に伴って切り換わる記録レートが予め設定された記録レート情報が複数記録される記録レート情報記録部２０４と、取得した総記録時間情報および認識された記録容量に基づいて取得されたコンテンツデータをデータ格納部１０６に適用可能な記録レート情報を検出する記録レート決定部２０５と、複数の記録レート情報が検出された場合に、検出された複数の記録レート情報から一の記録レート情報を選択操作する際に用いられる操作部１１１と、を備え、記録レート決定部２０５が、操作部１１１によって選択された記録レート情報に基づいて記録レートを予め設定するように構成してもよい。
【０１８７】
すなわち、この場合には、上述のように、選択された記録パターンにおいて、各記録レート情報における算出される記録容量、具体的には、単位時間量が適用された場合の全体の記録容量に基づいて、記録容量の大きい順に記録レート情報の決定処理を行い、全体の記録容量が未記録容量以下となる複数の記憶レート情報を検出し、当該検出された一の記録レート情報から一の記録レート情報を操作部１１１に選択させることにより決定記録レート情報を決定するようにする。
【０１８８】
この場合も、コンテンツデータを記録する際の記録レートが設定されるので、上述と同様に、ユーザがコンテンツデータの各時間における記録レートを個々設定する必要がなく、容易にかつ的確に、記録レートを設定することができる。
【０１８９】
また、本実施形態では、メタデータに基づいてコンテンツ総時間情報を抽出するようになっているが、番組予約管理部１１４に入力された予約情報に基づいてコンテンツデータの記録するコンテンツ総時間を算出し、当該算出されたコンテンツデータ総時間情報を記録レート決定部２０５に出力するようにしてもよい。
【０１９０】
また、本実施形態では、ＴＶ受信部１０１において受信した放送波におけるコンテンツデータを、記録レートを変更しながらＨＤ１０に記録するようになっているが、ＤＶＤ２０に予め記録されているコンテンツデータを、記録レートを変更しながらＨＤ１０に記録するようにしてもよい。
【０１９１】
この場合に、コンテンツ総時間情報は、ＤＶＤ２０にコンテンツデータとともに記録されているメタデータまたはＤＶＤ２０の管理領域に記録されている管理情報に基づいて情報抽出部２０２においてコンテンツ総時間情報を抽出するようにしてもよい。
【０１９２】
また、本実施形態では、未記録容量と記録すべきコンテンツデータの各記録レート情報で記録した場合の記録容量（以下、予想記録容量という。）とを比較して一の記録レート情報を決定するようになっているが、予約情報の設定時に、操作部１１１によってユーザが指定したＨＤ１０の記録する際に使用する事が可能な記録領域に基づく記録容量と各記録レート情報における予想記録容量とを比較して一の記録レート情報を決定するようにしてもよい。
【０１９３】
この場合は、予約情報が設定された際に、当該予想記録情報を記録レート決定部２０５に入力されるようになり、記録レート決定部２０５は、算出された記録すべきコンテンツデータの記録容量と設定されたＨＤ１０の記録領域における記録容量とを比較して記録レート情報の決定処理を行うようになっている。
【０１９４】
また、本実施形態では、当該コンテンツデータとともに放送波によって提供されるメタデータを受信して当該コンテンツデータをＨＤ１０に記録する際の記録レートを設定するようになっているが、コンテンツデータを放送波によって受信するとともに、インターネットなど有線または無線の通信回線により提供される当該コンテンツデータのメタデータを受信することによって、当該コンテンツデータをＨＤ１０に記録する際の記録レートを設定してもよい。
【０１９５】
また、本実施形態では、放送波によって提供されるコンテンツデータをＨＤ１０に記録するようになっているが、インターネットなど有線または無線の通信回線により提供されるコンテンツデータを記録するようにしてもよい。
【０１９６】
また、本実施形態では、記録レート情報記録手段には、オープニング／クライマックス重視パターン、オープニング／エンディング重視パターンおよびクライマックス重視パターン毎に記録レート情報が記録されているが、この他に、オープニング重視パターン、中盤重視パターンなどの記録パターン毎に記録レート情報が記録されていてもよい。
【０１９７】
また、本実施形態の記録レート決定部２０５は、記録レート情報を決定する際に、当該単位時間量を算出し、当該各単位分割区間に同じ時間量を適用するようになっているが、例えば、予め単位分割区間の割合を定め、それに基づいて時間量を適用するなど、各単位分割区間毎に異なる時間量を適用するようにしてもよい。
【０１９８】
また、本実施形態では、記録レート情報の設定処理または記録処理の動作を、記録レート決定部２０５およびシステム制御部２０６によって実行するようになっているが、当該記録レート情報の設定処理および記録処理の動作を規定するプログラムが記録された記録媒体と、それを読み取るコンピュータと、を備え、このコンピュータで当該プログラムを読み込むことによって上述と同様の記録レート情報の設定処理および記録処理の動作を行うようにしてもよい。
【０１９９】
また、本実施形態では、時間帯情報に基づいて各記録パターンの一の記録レート情報を決定するようになっているが、当該時間帯情報に代えて第２実施形態と同様に、ジャンル情報に基づいて記録パターンの一の記録レート情報を決定するようにしてもよい。
【０２００】
〔第４実施形態〕
次に、図１１〜図１４を用いて本願に係る情報記録再生装置の第４実施形態について説明する。
【０２０１】
なお、本実施形態は、第３実施形態において、予め定められた単位時間の分割数に基づいて単位時間量を算出して当該算出された単位時間量毎に記録レートを設定する点に代えて、コンテンツデータの任意の分割点に基づいて各単位時間量を変更して当該変更された各時間毎に記録レートを設定する点に特徴があり、その他の構成は第３実施形態と同様であるため、同一の部材には同一の番号を付してその説明を省略する。
【０２０２】
具体的には、本実施形態の情報記録再生装置では、予め定められた単位時間の分割数に基づいて単位時間量を算出するとともに、当該各単位時間量によって区切られる点（以下、分割点という。）の切り換え時刻が広告情報などの任意に区切られる点、すなわち、コンテンツデータの再生時の内容の区切りとなる点（以下、内容分割点という。）の時刻の近傍の場合には、算出された単位時間毎の分割点の時刻を内容分割点の時刻に変更し、時間量がそれぞれ変更された単位時間（以下、変更単位時間という。）毎に記録レートを設定するようになっている。
【０２０３】
ただし、本実施形態において、各記録レートの設定においては、第１実施形態と同様に、操作部１１１によって選択された記録パターン、未記録容量および各分割時間の記録レートによって算出されたコンテンツデータの記録容量に基づいて一の記録レート情報を設定するようになっている。
【０２０４】
まず、本実施形態における情報抽出部２０２について説明する。なお、例えば、本実施形態の情報抽出部２０２は、本発明の境界情報取得手段を構成する。
【０２０５】
本実施形態の情報抽出部２０２は、コンテンツ管理情報からコンテンツ総時間情報の他にコンテンツデータの時間軸上の内容分割点の情報（以下、分割点情報という。）を抽出するようになっており、抽出された分割点情報をコンテンツ総時間情報とともに、記録レート決定部２０５に出力するようになっている。
【０２０６】
具体的には、情報抽出部２０２には、バス１１７を介してコンテンツ管理情報が入力されるようになっており、この情報抽出部２０２は、入力されたコンテンツ管理情報から記録すべきコンテンツデータの時間帯情報およびコンテンツ総時間情報とともに、コンテンツデータの内容が切り換わる内容分割点における時刻情報を分割点情報として抽出し、当該抽出された時間帯情報およびコンテンツ情報と分割点情報を記録レート決定部２０５に出力するようになっている。
【０２０７】
例えば、内容分割点が広告情報（以下、ＣＭ：commercialともいう。）の挿入点である場合であって、ＢＳデジタル放送波など当該広告情報に関する各種のデータを有するメタデータがコンテンツ管理情報としてコンテンツデータに付帯されている場合には、本実施形態の情報抽出部２０２は、メタデータから当該コンテンツデータのコンテンツ総時間情報とともに、広告情報における挿入される時刻情報を抽出するようになっており、当該抽出された時刻情報を分割点情報として記録レート決定部２０５に出力するようになっている。
【０２０８】
また、内容分割点が広告情報の挿入点である場合であって、ＤＶＤ２０の制御領域に記録される制御情報がコンテンツ管理情報としてコンテンツデータとともに読み出された場合には、本実施形態の情報抽出部２０２は、読み出された制御情報から当該コンテンツデータのコンテンツ総時間情報とともに、広告情報における挿入される時刻情報を抽出するようになっており、当該抽出された時刻情報を分割点情報として記録レート決定部２０５に出力するようになっている。
【０２０９】
さらに、内容分割点がコンテンツデータの各シーンの切り換え点（コンテンツデータの場面転換点）である場合であって、当該各シーンにおける時刻情報その他の各シーンの管理情報がコンテンツ管理情報として読み出された場合または当該管理情報がコンテンツ管理情報として検出された場合には、本実施形態の情報抽出部２０２は、読み出された制御情報から当該コンテンツデータのコンテンツ総時間情報とともに、各シーンの切り換え点における時刻情報を抽出するようになっており、当該抽出された時刻情報を分割点情報として記録レート決定部２０５に出力するようになっている。
【０２１０】
次に、図１１〜図１３を用いて本実施形態における記録レート決定部２０５について説明する。なお、図１１〜図１３は、記録レート決定部２０５における記録レート情報の決定処理を説明するための図である。
【０２１１】
本実施形態の記録レート決定部２０５は、システム制御部２０６の制御の下、コンテンツ総時間情報に基づいて設定すべき記録レートの単位分割区間における単位時間量を算出するとともに各単位時間毎の分割点における切り換え時刻（以下、単に、切り換え時刻という。）が広告情報などの任意の内容分割点の時刻（以下、内容分割点時刻という。）の近傍の場合には、切り換え時刻を内容分割時刻に変更し、操作部１１１によって選択された記録パターンおよび変更された内容分割時刻に基づいて、各変更単位時間毎の記録レート情報の決定処理を行うようになっている。
【０２１２】
具体的には、本実施形態の記録レート決定部２０５には、情報抽出部２０２から出力されたコンテンツ総時間情報、時間帯情報および分割点情報と、操作部１１１によって選択された記録パターン情報と、記録レート情報記録部２０４に記録されている各記録パターンの記録レート情報と、未記録容量情報と、が入力されるようになっている。
【０２１３】
また、この記録レート決定部２０５は、コンテンツ総時間情報と予め定められた単位時間の分割数に基づいて単位時間量を算出するとともに、広告情報などの任意の内容分割点の時刻（以下、内容分割点時刻という。）が、各単位時間毎の分割点の時刻（以下、単に、分割点時刻という。）の近傍にあるか否かを判断するようになっている。そして、この記録レート決定部２０５は、各分割点時刻における所定の条件を満たす内容分割点時刻が検出された場合には、当該対応する分割点時刻の内容分割点時刻への変更（以下、分割点変更処理という。）を行うようになっている。
【０２１４】
より詳細には、記録レート決定部２０５は、図１１に示すように、広告情報の挿入点を内容分割点とする場合に、各分割点時刻の前後において、算出された単位時間量の半分の時間内に内容分割点時刻が有るか否かを判断するようになっており、任意の分割点時刻の前後において、単位時間量の半分の時間内に内容分割点時刻が存在する場合には、当該存在している内容分割点時刻に当該分割点時刻を変更することによって分割点変更処理を行うようになっている。
【０２１５】
例えば、分割数が「５」、コンテンツ総時間が「２時間」、および、単位時間量が「２４分」である場合に、記録レート決定部２０５は、図１１に示すように、第１分割点時刻、第２分割点時刻および第４分割点時刻の前後において、単位時間量の半分の時間内に、内容分割点時刻が存在するので、それぞれ、その時刻に分割点時刻が変更されるようになっている。
【０２１６】
なお、この分割点変更処理において、任意の分割点時刻の前後において、単位時間量の半分の時間内に内容分割点時刻が２以上存在する場合には、より分割点時刻に近接する内容分割点時刻に当該分割点時刻を変更するようになっている。
【０２１７】
また、本実施形態の記録レート決定部２０５は、分割点変更処理が行われた後に、当該分割点時刻が変更された記録パターンおよび時間帯情報に基づいて、複数の記録レートのパターンにおける記録すべきコンテンツデータの記録容量を算出するとともに、当該算出された記録容量と未記録容量とに基づいて一の記録レートのパターンを決定し、決定された位置の記録レートのパターンを決定レート情報としてシステム制御部２０６に出力するようになっている。
【０２１８】
具体的には、本実施形態の記録レート決定部２０５は、操作部１１１において選択された記録パターンおよび時間帯情報に基づいて記録レート情報記録部２０４に記録されている当該記録パターンにおける入力された時間帯情報に該当する各記録レート情報を読み出すとともに、当該読み出した各記録レート情報に各変更された分割点時刻を適用して各記録レート情報の各単位分割区間における時間量、すなわち、変更単位時間を設定するようになっている。
【０２１９】
また、この記録レート決定部２０５は、各記録レート毎に、当該各記録レート情報に設定されている各記録レートに対応する変更単位時間を乗算して各記録レート毎のデータ量を算出し、当該算出された各記録レート毎のデータ量をコンテンツデータ全体において加算して全体のデータ量（以下、全データ量という。）を算出するようになっており、当該全データ量と未記録容量を比較して算出された全データ量が未記録容量以下になる記録レートを決定するようになっている。
【０２２０】
より詳細には、本実施形態の記録レート決定部２０５は、記録パターンにおける入力された時間帯情報に該当する各記録レート毎に変更された分割点時刻を設定して当該各記録レート情報に変更単位時間を反映させるとともに、全ての時間帯情報に該当する記録レート情報における全データ量を（式１）および（式２）に基づいて算出するようになっている。そして、この記録レート決定部２０５は、算出された全データ量が未記録領域以下になる記録レート情報を検索し、当該該当する記録レート情報を検出した場合には、変更単位時間を適用させた当該記録レート情報を決定記録レート情報としてシステム制御部２０６に出力するようになっている。
全データ量Ａ
＝Σ（各単位時間（分）×各記録レート（Ｍｂｉｔ／ｓｅｃ））  ・・・（式１）
全データ量Ｂ（Ｇｂｙｔｅ）
＝全データ量Ａ  ×  ６０／（Ｔ×１０３）          ・・・（式２）
なお、（式２）は、（式１）において算出された全データ量Ａの単位変換を行うとともに、実データ量として算出するため、Ｔ＝８を除算するようになっている。
【０２２１】
例えば、オープニング／クライマックス重視パターンが選択され、かつ、時間帯情報により第２時間帯に属するパターン番号（１６）〜（１３）の記録レート情報が選択された場合であって、記録レートが４段階で、変更単位時間がコンテンツデータの先頭から３０分、１２分、２４分、１８分、３６分と設定された場合には、記録レート決定部２０５は、図１２に示すように、この決定されたクライマックス重視パターンにおける各記録レート情報の全データ量を算出するようになっており、未記録容量が５．５Ｇｂｙｔｅの場合には、（式１）および（式２）よりパターン番号１３の記録レート情報が選択されるようになっている。ただし、図１２は、便宜上、第１実施形態と同様に、単位ブロックによって各記録レート情報を表しているが、実際には、記録レートのスケールは、図１３に示すように各記録レートに伴って表される。なお、図１３は、オープニング／クライマックス重視パターンにおけるパターン番号１４の記録レート情報である。
【０２２２】
また、この各記録レート情報は、第１実施形態と同様に、単位時間量が設定されていない状態で記録レート情報記録部２０４に各記録パターン毎に記録されており、本実施形態の記録レート決定部２０５は、操作部１１１によって選択された記録パターンに基づいて記録レート情報記録部２０４から読み出し、かつ、変更単位時間を適用してコンテンツデータの記録容量を算出するようになっている。
【０２２３】
次に、図１４を用いて本実施形態における記録レート情報の設定処理および記録処理の動作について説明する。
【０２２４】
なお、図１４は、本実施形態における記録レート情報の設定処理および記録処理の動作を示すフローチャートである。また、本動作は記録レート情報の設定処理は記録処理の前処理として行われるようになっている。
【０２２５】
また、ユーザにより操作部１１１を介して予めコンテンツデータの記録レートを記録中に可変することが設定されているものとし、メタデータから分割点情報を抽出する場合であって、分割点情報が広告情報における分割点情報である場合について説明するものとする。
【０２２６】
まず、ユーザが操作部１１１によって、所定の日時に放送されるコンテンツデータの予約記録の設定を開始する旨が入力されると、システム制御部２０６は、番組予約管理部１１４、表示部１１２および操作部１１１を用いて、ユーザに、放送日時および放送されるチャンネルなどの各種の予約記録に必要な予約情報を設定させる（ステップＳ５１）。
【０２２７】
次いで、システム制御部２０６は、操作部１１１を介してユーザにコンテンツデータの記録レートを可変するための記録パターンを設定させ、予約情報を番組予約管理部１１４に出力するとともに、記録パターンの情報を記録レート決定部２０５に出力する（ステップＳ５２）。
【０２２８】
なお、本実施形態では、システム制御部２０６は、操作部１１１および表示部１１２を用いて、記録レート情報記録部２０４に記録されている平均記録パターン、オープニング／クライマックス重視パターンおよびクライマックス重視パターンの何れか一のパターンを選択させ、設定された当該記録パターンの情報を記録レート決定部２０５に入力する。
【０２２９】
次いで、システム制御部２０６は、予約情報に基づいてＴＶ受信部１０１に当該予約されたコンテンツデータのメタデータを受信させるとともに（ステップＳ５３）、番組情報抽出部２０２に受信されたメタデータからコンテンツ総時間情報、時間帯情報および分割点情報を抽出させ、当該コンテンツ総時間情報、時間帯情報および分割点情報を記録レート決定部２０５に出力させる（ステップＳ５４）。
【０２３０】
次いで、システム制御部２０６は、記録レート決定部２０５に、入力されたパターン情報およびコンテンツ総時間情報に基づいて、コンテンツ総時間を、入力されたパターン情報の単位時間毎の分割数によって除算し、当該単位時間量を算出させる（ステップＳ５５）。
【０２３１】
次いで、システム制御部２０６は、未記録容量検出部２０３に、ＨＤ１０の未記録容量を検出させ、検出された未記録容量を未記録容量情報として記録レート決定部２０５に出力させる（ステップＳ５６）。
【０２３２】
次いで、システム制御部２０６は、記録レート決定部２０５に、算出された各単位時間毎の分割点の分割点時刻および分割点情報の各広告情報における挿入される時刻、すなわち、内容分割点時刻が、各分割点時刻の近傍にあるか否かを判断させ、分割点変更処理を行う（ステップＳ５７）。
【０２３３】
なお、本実施形態では、記録レート決定部２０５は、各分割点時刻の前後において、算出された単位時間量の半分の時間内に内容分割点時刻が有るか否かを判断し、この記録レート決定部２０５は、各分割点時刻における所定の条件を満たす内容分割点時刻が検出された場合には、当該対応する分割点時刻の内容分割点時刻への分割点変更処理を行う。ただし、この分割点変更処理において、任意の分割点時刻の前後において、単位時間量の半分の時間内に内容分割点時刻が２以上存在する場合には、より分割点時刻に近接する内容分割点時刻に当該分割点時刻を変更する。
【０２３４】
次いで、システム制御部２０６は、記録レート決定部２０５に、当該分割点時刻が変更された記録パターンおよび入力された時間帯情報に基づいて、当該時間帯情報による該当する複数の記録レートのパターンにおける記録すべきコンテンツデータの記録容量を算出させるとともに、一の記録レート情報を決定させる（記録レート情報の決定処理（ステップＳ５８）。
【０２３５】
具体的には、本実施形態では、上述のように、記録レート決定部２０５は、操作部１１１において選択された記録パターンおよび入力された時間帯情報に基づいて記録レート情報記録部２０４に記録されている当該記録パターンにおける時間帯情報に該当する各記録レート情報を読み出すとともに、当該読み出した各記録レート情報に変更単位時間を設定する。そして、記録レート決定部２０５は、各記録レート毎のデータ量を算出して全データ量を算出し、当該全データ量と未記録容量を比較して算出された全データ量が未記録容量以下になる記録レートを決定する。ただし、最低の記録レート情報によって算出された記録容量が未記録容量よりも大きいため、記録レート決定部２０５が記録レート情報を決定することができない場合には、システム制御部２０６は、記録レート決定部２０５に一の記録レート情報を決定させず、次の処理に移行する。
【０２３６】
次いで、システム制御部２０６は、記録レート決定部２０５に、一の記録レート情報を決定しているか否かを判断させ（ステップＳ５９）、記録レート決定部２０５が一の記録レート情報を決定している場合には、ステップＳ６０の処理に移行し、記録レート決定部２０５が一の記録レート情報を決定していない場合、すなわち、最低の記録レート情報によっても算出された記録容量が未記録容量より大きい場合には、当該記録レート情報の設定処理を中止して本動作を終了する。
【０２３７】
なお、記録レート決定部２０５が一の記録レート情報を決定することができない場合には、システム制御部は、表示部１１２を制御し、当該表示部１１２に記録レート情報を決定することができない旨を表示させる。
【０２３８】
次いで、システム制御部２０６は、決定された決定記録レート情報を番組予約管理部１１４に出力させ、他の予約情報とともに、内部に格納させる（ステップＳ６０）。
【０２３９】
次いで、番組予約管理部１１４が予約情報に示される時刻が到来すると（ステップＳ６１）、当該予約情報をシステム制御部２０６に出力し、当該システム制御部２０６は、ＴＶ受信部１０１およびエンコーダ２０１を制御して予約情報に基づいてコンテンツデータの記録を開始する（ステップＳ６２）。
【０２４０】
このとき、システム制御部２０６は、入力された予約情報をＲＯＭ／ＲＡＭ１１６に記録しつつ、ＴＶ受信部１０１に予約情報によって示されるチャンネルのコンテンツデータを受信させ、エンコーダ２０１に記録する際の記録レートを予約情報の決定記録レート情報によって示される最初の記録レートに設定させる。
【０２４１】
次いで、システム制御部２０６は、予め定められた時間の経過後、ＲＯＭ／ＲＡＭ１１６に記録されている記録レート情報の単位時間量によって示される単位時間および内部に有するタイマに基づいて、現時刻が記録レートの切り換えタイミングであるか否かを判断する（ステップＳ６３）。
【０２４２】
例えば、システム制御部２０６は、５００ｍｓｅｃ経過後、現時刻が記録レートの切り換えタイミングであるか否かを判断する。
【０２４３】
システム制御部２０６が、現時刻が記録レートの切り換えタイミングであると判断した場合には、当該システム制御部２０６は、エンコーダ２０１を制御して記録レート情報によって示される次の記録レートに設定させてコンテンツデータの記録を継続し（ステップＳ６４）、ステップＳ６３の処理に移行する。
【０２４４】
一方、システム制御部２０６が、現時刻が記録レートの切り換えタイミングでないと判断した場合には、当該システム制御部２０６は、現時刻が予約情報に示されるコンテンツデータの記録終了時刻であるか否かを判断し（ステップＳ６５）、現時刻がコンテンツデータの記録終了時刻であると判断した場合には、当該記録処理を終了させ、現時刻がコンテンツデータの記録終了時刻でないと判断した場合は、ステップＳ６３の処理に移行する。
【０２４５】
なお、本動作において、ステップＳ５１〜ステップＳ６０までの処理は、記録処理の前処理である記録レート情報の設定処理の各処理であり、ステップＳ６１〜ステップＳ６５までの処理は、記録処理の各処理である。
【０２４６】
以上のように、本実施形態の情報記録再生装置２００によれば、放送波により予め定められた時間帯に提供されるコンテンツデータをデータ格納部１０６に記録させる情報記録再生装置２００であって、放送波によって提供される動画像情報を取得するＴＶ受信部１０１、入力処理部およびＤＶＤドライブと、提供される動画像情報の特性を示す特性情報を取得する情報抽出部２０２と、取得された特性情報に基づいて動画像情報をデータ格納部１０６に記録する際の単位画像情報当たりの記録すべき情報量を示す記録レートを設定する記録レート決定部２０５と、設定された記録レートに基づいて取得された動画像情報をデータ格納部１０６に記録させるシステム制御部２０６と、を備える構成を有している。
【０２４７】
この構成により、本実施形態の情報記録再生装置２００は、取得された特性情報に基づいて動画像情報をデータ格納部１０６に記録する際の単位画像情報当たりの記録すべき情報量を示す記録レートが設定されるとともに、設定された記録レートに基づいて取得された動画像情報をデータ格納部１０６に記録される。
【０２４８】
したがって、コンテンツデータが提供される時間帯に基づいて記録レートを決定することができるので、コンテンツデータの記録予約などの設定を行う際に、コンテンツデータの記録レートを設定することなく、当該記録レートを設定することができる。この結果、ユーザの操作性を向上させることができるとともに、コンテンツデータ毎に適した記録レートによってコンテンツデータを記録することができるので、記録媒体の記憶容量の効率的な使用を実現することができる。
【０２４９】
また、本実施形態の情報記録再生装置２００によれば、第３実施形態と同様に、コンテンツデータをデータ格納部１０６に記録させる情報記録再生装置２００であって、コンテンツデータを受信するＴＶ受信部１０１、外部からコンテンツデータを取得する入力処理部１０３およびＤＶＤ２０からコンテンツデータを取得するＤＶＤドライブ１０２と、取得されたコンテンツデータを記録させる際の時間進行に伴って切り換える単位画像情報当たりの記録すべき情報量を示す記録レートを予め設定する記録レート決定部２０５と、設定された記録レートに基づいて取得されたコンテンツデータをデータ格納部１０６に記録させるシステム制御部２０６と、を備え、システム制御部２０６が、コンテンツデータの記録中に、設定された記録レートを切り換えてコンテンツデータのデータ格納部１０６における記録制御を行うことによって当該データ格納部１０６に動画像情報を記録する構成を有している。
【０２５０】
この構成により、本実施形態の情報記録再生装置２００は、取得されたコンテンツデータを記録させる際の時間進行に伴って切り換える単位画像情報当たりの記録すべき情報量を示す記録レートを予め設定するとともに、コンテンツデータの記録中に、設定された記録レートを切り換えて当該コンテンツデータをデータ格納部１０６に記録する。
【０２５１】
したがって、データ格納部１０６におけるＨＤ１０の記録容量により、コンテンツデータを常に高画質にて記録するにはデータ格納部１０６におけるＨＤ１０の記録容量が十分でない場合であっても、当該コンテンツデータのクライマックスなどの一部を高画質にて記録させることも可能になるので、記録媒体の記憶容量の効率的な使用とユーザによる高画質化の要請を満足させることができる。
【０２５２】
また、本実施形態の情報記録再生装置２００によれば、一定の時間毎に時間進行に伴って切り換わる記録レートが予め設定された記録レート情報が複数記録される記録レート情報記録部２０４と、取得されたコンテンツデータの内容的な境界を示す境界情報を取得する情報抽出部２０２と、取得された境界情報に基づいて選択された記録レート情報の一定時間毎の区分を示す各記録レート区分を変更する記録レート決定部２０５と、を更に備え、記録レート決定部２０５が、各記録レート情報における変更された各記録レート区分および当該各記録レート区分における記録レートに基づいて、取得されたコンテンツデータを記録させる際の各記録レート区分における記録レートを予め設定する構成を有している。
【０２５３】
この構成により、本実施形態の情報記録再生装置２００は、取得された境界情報に基づいて選択された記録レート情報の一定時間毎の区分を示す各記録レート区分が変更されるとともに、変更された各記録レート区分および当該各記録レート区分における記録レートに基づいて、取得されたコンテンツデータを記録させる際の各記録レート区分における記録レートを予め設定する。
【０２５４】
したがって、コンテンツデータを記録する際の記録レートをコンテンツデータの内容の境界点に変更することができるので、記録レートの切り換えによって生ずる画像の違和感を解消することができる。
【０２５５】
なお、本実施形態では、情報抽出部２０２においてメタデータなどのコンテンツ管理情報から分割点情報を抽出するようになっているが、当該情報抽出部２０２において、コンテンツデータを解析し、広告情報の挿入点の情報などコンテンツデータの時間軸上の内容分割点の分割点情報を抽出するようにしてもよい。
【０２５６】
この場合は、情報抽出部２０２には、入力処理部１０３により予め定められた処理が行われたコンテンツデータが入力され、音声レベルにおけるレベル変化の検出、または、音声データの拡声種別の変化など映像データまたは音声データを解析することによって分割点情報を抽出するようになる。
【０２５７】
例えば、分割点情報が広告情報の場合に、情報抽出部２０２は、
（１）入力された音声データのレベルが予め設定された音声レベル以上になったか否か、
（２）音声レベルの変化が予め設定されたレベル以上に変化したか否か、
（３）音声種別が変化したか否か、
の少なくとも何れか一の判断を行うことによって広告情報のコンテンツデータの先頭からの挿入時刻を検出し、当該検出された広告情報の挿入時刻を分割点情報をとして記録レート決定部２０５に出力するようになる。
【０２５８】
なお、通常、広告情報が挿入されている箇所は、音声レベルがコンテンツデータにおける音声データのレベルより、高レベルである。また、当該広告情報とコンテンツデータの音声種別は、ステレオ放送およびモノラル放送により異なることが多いので、本実施形態では、適宜、これらに基づいて広告情報の挿入点を検出することができるようになっている。
【０２５９】
また、本実施形態では、メタデータに基づいてコンテンツ総時間情報を抽出するようになっているが、番組予約管理部１１４に入力された予約情報に基づいてコンテンツデータの記録するコンテンツ総時間を算出し、当該算出されたコンテンツデータ総時間情報を記録レート決定部２０５に出力するようにしてもよい。
【０２６０】
また、本実施形態では、ＴＶ受信部１０１において受信した放送波におけるコンテンツデータを記録レートを変更しながらＨＤ１０に記録するようになっているが、ＤＶＤ２０に予め記録されているコンテンツデータを記録レートを変更しながらＨＤ１０に記録するようにしてもよい。
【０２６１】
この場合に、コンテンツ総時間情報は、ＤＶＤ２０にコンテンツデータとともに記録されているメタデータまたはＤＶＤ２０の管理領域に記録されている管理情報に基づいて情報抽出部２０２においてコンテンツ総時間情報を抽出するようにしてもよい。
【０２６２】
また、本実施形態では、未記録容量と記録すべきコンテンツデータの各記録レート情報で記録した場合の予想記録容量とを比較して一の記録レート情報を決定するようになっているが、予約情報の設定時に、操作部１１１によってユーザが指定したＨＤ１０の記録する際に使用する事が可能な記録領域に基づく記録容量と各記録レート情報における予想記録容量とを比較して一の記録レート情報を決定するようにしてもよい。
【０２６３】
この場合は、予約情報が設定された際に、当該予想記録情報を記録レート決定部２０５に入力されるようになり、記録レート決定部２０５は、算出された記録すべきコンテンツデータの記録容量と設定されたＨＤ１０の記録領域における記録容量とを比較して記録レート情報の決定処理を行うようになっている。
【０２６４】
また、本実施形態では、当該コンテンツデータとともに放送波によって提供されるメタデータを受信して当該コンテンツデータをＨＤ１０に記録する際の記録レートを設定するようになっているが、コンテンツデータを放送波によって受信するとともに、インターネットなど有線または無線の通信回線により提供される当該コンテンツデータのメタデータを受信することによって、当該コンテンツデータをＨＤ１０に記録する際の記録レートを設定してもよい。
【０２６５】
また、本実施形態では、放送波によって提供されるコンテンツデータをＨＤ１０に記録するようになっているが、インターネットなど有線または無線の通信回線により提供されるコンテンツデータを記録するようにしてもよい。
【０２６６】
また、本実施形態では、記録レート情報記録手段には、平均パターン、オープニング／クライマックス重視パターンおよびクライマックス重視パターン毎に記録レート情報が記録されているが、この他に、オープニング重視パターン、中盤重視パターンなどの記録パターン毎に記録レート情報が記録されていてもよい。
【０２６７】
また、本実施形態では、記録レート情報の設定処理または記録処理の動作を、記録レート決定部２０５およびシステム制御部２０６によって実行するようになっているが、当該記録レート情報の設定処理および記録処理の動作を規定するプログラムが記録された記録媒体と、それを読み取るコンピュータと、を備え、このコンピュータで当該プログラムを読み込むことによって上述と同様の記録レート情報の設定処理および記録処理の動作を行うようにしてもよい。
【０２６８】
また、本実施形態では、時間帯情報に基づいて各記録パターンの一の記録レート情報を決定するようになっているが、当該時間帯情報に代えて第２実施形態と同様に、ジャンル情報に基づいて記録パターンの一の記録レート情報を決定するようにしてもよい。
【図面の簡単な説明】
【０２６９】
【図１】本願に係る第１実施形態に情報記録再生装置の概要構成を示すブロック図である。
【図２】データ格納部におけるＨＤに記録されるコンテンツデータと記録レートの関係を示す図の一例である。
【図３】第１実施形態における記録レート情報の設定処理および記録処理の動作を示すフローチャートである。
【図４】第２実施形態における記録レート情報の設定処理および記録処理の動作を示すフローチャートである。
【図５】本願に係る第３実施形態に情報記録再生装置の概要構成を示すブロック図である。
【図６】第３実施形態における記録レート情報記録部に記録される記録レート情報の一例（オープニング／クライマックス重視パターン）である。
【図７】第３実施形態における記録レート情報記録部に記録される記録レート情報の一例（オープニング／エンディング重視パターン）である。
【図８】第３実施形態における記録レート情報記録部に記録される記録レート情報の一例（エンディング重視パターン）である。
【図９】データ格納部におけるＨＤに記録されるコンテンツデータと記録レートの関係を示す図の一例である。
【図１０】第３実施形態における記録レート情報の設定処理および記録処理の動作を示すフローチャートである。
【図１１】第４実施形態における記録レート決定部の記録レートの決定処理を説明するための図（Ｉ）である。
【図１２】第４実施形態における記録レート決定部の記録レートの決定処理を説明するための図（II）である。
【図１３】第４実施形態における記録レート決定部の記録レートの決定処理を説明するための図（III）である。
【図１４】第４実施形態における記録レート情報の設定処理および記録処理の動作を示すフローチャートである。
【符号の説明】
【０２７０】
１００、２００  …  情報記録再生装置
１０１  …  ＴＶ受信部
１０２  …  ＤＶＤドライブ
１０３  …  入力処理部
１０４、２０１  …  エンコーダ
１０６  …  データ格納部
１０７、２０２  …  情報抽出部
１０９、２０４  …  記録レート情報記録部
１１０、２０５  …  記録レート決定部
１１１  …  操作部
１１５、２０６  …  システム制御部
２０３  …  未記録容量検出部
【図１】
2007243232.tif 000003
【図２】
2007243232.tif 000004
【図３】
2007243232.tif 000005
【図４】
2007243232.tif 000006
【図５】
2007243232.tif 000007
【図６】
2007243232.tif 000008
【図７】
2007243232.tif 000009
【図８】
2007243232.tif 000010
【図９】
2007243232.tif 000011
【図１０】
2007243232.tif 000012
【図１１】
2007243232.tif 000013
【図１２】
2007243232.tif 000014
【図１３】
2007243232.tif 000015
【図１４】
2007243232.tif 000016